(57)【特許請求の範囲】
【請求項１】
アップリンクデータを伝送するための方法であって、５Ｇに適用され、
端末装置がネットワーク装置から送信されたダウンリンク制御情報（ＤＣＩ）を受信することと、
前記端末装置が前記ＤＣＩの第１ＤＣＩフォーマットと第２ＤＣＩフォーマットに基づき、前記端末装置のアップリンクマルチアクセス方式が離散フーリエ変換スペクトル拡散直交周波数分割多重（ＤＦＴ−Ｓ−ＯＦＤＭ）であるか、それともサイクリックプレフィックス直交周波数分割多重（ＣＰ−ＯＦＤＭ）であるかを確定することであって、前記第１ＤＣＩフォーマットと前記第２ＤＣＩフォーマットが異なり、前記第１ＤＣＩフォーマットと前記第２ＤＣＩフォーマットが異なる制御情報の長さに対応することと、
前記端末装置が前記確定したアップリンクマルチアクセス方式に基づき、前記アップリンクデータを伝送することとを含む、前記アップリンクデータを伝送するための方法。
【請求項２】
前記端末装置が前記ＤＣＩの第１ＤＣＩフォーマットと第２ＤＣＩフォーマットに基づいて前記端末装置のアップリンクマルチアクセス方式がＤＦＴ−Ｓ−ＯＦＤＭであるか、それともＣＰ−ＯＦＤＭであるかを確定することは、
前記端末装置が、前記ＤＣＩの前記第１ＤＣＩフォーマットと前記第２ＤＣＩフォーマット、及び前記第１ＤＣＩフォーマットとアップリンクマルチアクセス方式の対応関係と前記第２ＤＣＩフォーマットとアップリンクマルチアクセス方式の対応関係に基づき、前記端末装置のアップリンクマルチアクセス方式がＤＦＴ−Ｓ−ＯＦＤＭであるか、それともＣＰ−ＯＦＤＭであるかを確定することを含むことを特徴とする
請求項１に記載の方法。
【請求項３】
前記端末装置が前記確定したアップリンクマルチアクセス方式に基づき、前記アップリンクデータを伝送することは、
前記端末装置が前記アップリンクマルチアクセス方式がＤＦＴ−Ｓ−ＯＦＤＭであることを確定した場合、前記端末装置が前記アップリンクデータに対して離散フーリエ変換（ＤＦＴ）を行い、そして前記ＤＦＴが行われた前記アップリンクデータをアップリンクデータチャネルで伝送することを含むことを特徴とする
請求項１又は２に記載の方法。
【請求項４】
前記端末装置が前記確定したアップリンクマルチアクセス方式に基づき、前記アップリンクデータを伝送することは、
前記端末装置が前記アップリンクマルチアクセス方式がＣＰ−ＯＦＤＭであることを確定した場合、前記端末装置が前記アップリンクデータに対してＤＦＴを行うことがなく、そして前記ＤＦＴが行われない前記アップリンクデータをアップリンクデータチャネルで伝送することを含むことを特徴とする
請求項１又は２に記載の方法。
【請求項５】
前記端末装置が前記アップリンクマルチアクセス方式に基づき、前記アップリンクデータを伝送することは、
前記端末装置が前記アップリンクマルチアクセス方式、及びアップリンクマルチアクセス方式とアップリンクデータチャネル構造の対応関係に基づき、ターゲットアップリンクデータチャネル構造を確定することと、
前記端末装置が前記ターゲットアップリンクデータチャネル構造を用い、前記アップリンクデータを伝送することとを含むことを特徴とする
請求項１−４のいずれか一項に記載の方法。
【請求項６】
前記アップリンクデータチャネル構造は、
アップリンクデータチャネルの復調基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含むことを特徴とする
請求項５に記載の方法。
【請求項７】
アップリンクデータを伝送するための方法であって、５Ｇに適用され、
ネットワーク装置が、端末装置がダウンリンク制御情報（ＤＣＩ）の第１ＤＣＩフォーマットと第２ＤＣＩフォーマットに基づき、前記端末装置のアップリンクマルチアクセス方式が離散フーリエ変換スペクトル拡散直交周波数分割多重（ＤＦＴ−Ｓ−ＯＦＤＭ）であるか、それともサイクリックプレフィックス直交周波数分割多重（ＣＰ−ＯＦＤＭ）であるかを確定するように、前記端末装置へ前記ＤＣＩを送信することであって、前記第１ＤＣＩフォーマットと前記第２ＤＣＩフォーマットが異なり、前記第１ＤＣＩフォーマットと前記第２ＤＣＩフォーマットが異なる制御情報の長さに対応することと、
前記ネットワーク装置が、前記端末装置が前記確定したアップリンクマルチアクセス方式に基づいて伝送した前記アップリンクデータを受信することとを含む、前記アップリンクデータを伝送するための方法。
【請求項８】
前記ネットワーク装置が、前記端末装置が前記アップリンクマルチアクセス方式に基づいて伝送した前記アップリンクデータを受信することは、
前記ネットワーク装置が、前記端末装置がターゲットアップリンクデータチャネル構造を用いて伝送した前記アップリンクデータを受信し、前記ターゲットアップリンクデータチャネル構造が前記アップリンクマルチアクセス方式、及びアップリンクマルチアクセス方式とアップリンクデータチャネル構造の対応関係に基づいて前記端末装置によって確定されることを含むことを特徴とする
請求項７に記載の方法。
【請求項９】
前記アップリンクデータチャネル構造は、
アップリンクデータチャネルの復調基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含むことを特徴とする
請求項８に記載の方法。
【請求項１０】
端末装置であって、５Ｇに適用され、
ネットワーク装置から送信されたダウンリンク制御情報（ＤＣＩ）を受信するように構成される受信ユニットと、
前記受信ユニットによって受信されたＤＣＩの第１ＤＣＩフォーマットと第２ＤＣＩフォーマットに基づいて前記端末装置のアップリンクマルチアクセス方式が離散フーリエ変換スペクトル拡散直交周波数分割多重（ＤＦＴ−Ｓ−ＯＦＤＭ）であるか、それともサイクリックプレフィックス直交周波数分割多重（ＣＰ−ＯＦＤＭ）であるかを確定するように構成され、前記第１ＤＣＩフォーマットと前記第２ＤＣＩフォーマットが異なり、前記第１ＤＣＩフォーマットと前記第２ＤＣＩフォーマットが異なる制御情報の長さに対応する確定ユニットと、
前記確定ユニットによって確定された前記アップリンクマルチアクセス方式に基づき、前記アップリンクデータを伝送するように構成される送信ユニットとを備える、前記端末装置。
【請求項１１】
前記確定ユニットは具体的に、
前記ＤＣＩの前記第１ＤＣＩフォーマットと前記第２ＤＣＩフォーマット、及び前記第１ＤＣＩフォーマットとアップリンクマルチアクセス方式の対応関係と前記第２ＤＣＩフォーマットとアップリンクマルチアクセス方式の対応関係に基づき、前記端末装置のアップリンクマルチアクセス方式がＤＦＴ−Ｓ−ＯＦＤＭであるか、それともＣＰ−ＯＦＤＭであるかを確定するように構成されることを特徴とする
請求項１０に記載の端末装置。
【請求項１２】
前記送信ユニットは具体的に、
前記アップリンクマルチアクセス方式がＤＦＴ−Ｓ−ＯＦＤＭであることを確定した場合、前記アップリンクデータに対して離散フーリエ変換（ＤＦＴ）を行い、そして前記ＤＦＴが行われた前記アップリンクデータをアップリンクデータチャネルで伝送するように構成されることを特徴とする
請求項１０又は１１に記載の端末装置。
【請求項１３】
前記送信ユニットは具体的に、
前記アップリンクマルチアクセス方式がＣＰ−ＯＦＤＭであることを確定した場合、前記アップリンクデータに対してＤＦＴを行うことがなく、そして前記ＤＦＴが行われない前記アップリンクデータをアップリンクデータチャネルで伝送するように構成されることを特徴とする
請求項１０又は１１に記載の端末装置。
【請求項１４】
前記送信ユニットは具体的に、
前記アップリンクマルチアクセス方式、及びアップリンクマルチアクセス方式とアップリンクデータチャネル構造の対応関係に基づき、ターゲットアップリンクデータチャネル構造を確定し、
前記ターゲットアップリンクデータチャネル構造を用い、前記アップリンクデータを伝送するように構成されることを特徴とする
請求項１０−１３のいずれか一項に記載の端末装置。
【請求項１５】
前記アップリンクデータチャネル構造は、
アップリンクデータチャネルの復調基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含むことを特徴とする
請求項１４に記載の端末装置。
【請求項１６】
ネットワーク装置であって、５Ｇに適用され、
端末装置がダウンリンク制御情報（ＤＣＩ）の第１ＤＣＩフォーマットと第２ＤＣＩフォーマットに基づいて前記端末装置のアップリンクマルチアクセス方式が離散フーリエ変換スペクトル拡散直交周波数分割多重（ＤＦＴ−Ｓ−ＯＦＤＭ）であるか、それともサイクリックプレフィックス直交周波数分割多重（ＣＰ−ＯＦＤＭ）であるかを確定するように、前記端末装置へ前記ＤＣＩを送信するように構成され、前記第１ＤＣＩフォーマットと前記第２ＤＣＩフォーマットが異なり、前記第１ＤＣＩフォーマットと前記第２ＤＣＩフォーマットが異なる制御情報の長さに対応する送信ユニットと、
前記端末装置が前記確定したアップリンクマルチアクセス方式に基づいて伝送した前記アップリンクデータを受信するように構成される受信ユニットとを備える、前記ネットワーク装置。
【請求項１７】
前記受信ユニットは具体的に、
前記端末装置がターゲットアップリンクデータチャネル構造を用いて伝送した前記アップリンクデータを受信するように構成され、前記ターゲットアップリンクデータチャネル構造が、前記アップリンクマルチアクセス方式、及びアップリンクマルチアクセス方式とアップリンクデータチャネル構造の対応関係に基づいて前記端末装置によって確定されることを特徴とする
請求項１６に記載のネットワーク装置。
【請求項１８】
前記アップリンクデータチャネル構造は、
アップリンクデータチャネルの復調基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含むことを特徴とする
請求項１７に記載のネットワーク装置。
【発明の詳細な説明】
【技術分野】
【０００１】
本発明の実施例は、無線通信分野に関し、且つより具体的には、アップリンクデータを伝送するための方法、端末装置とネットワーク装置に関する。
【背景技術】
【０００２】
現在、５Ｇシステムのアップリンク伝送において、離散フーリエ変換スペクトル拡散直交周波数分割多重（Ｄｉｓｃｒｅｔｅ  Ｆｏｕｒｉｅｒ  Ｔｒａｎｓｆｏｒｍａｔｉｏｎ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＤＦＴ−Ｓ−ＯＦＤＭ」と略称）マルチアクセス技術とサイクリックプレフィックス直交周波数分割多重（Ｃｙｃｌｉｃ  Ｐｒｅｆｉｘ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＣＰ−ＯＦＤＭ」と略称）などの複数のアップリンクマルチアクセス方式が導入される。前者はアップリンク単層伝送のみに用いられることが可能であるが、後者はアップリンク単層又はアップリンク多層伝送に用いられることが可能である。端末装置がどのマルチアクセス方式を用いるかは、端末装置のアップリンクチャネル品質に基づいてネットワーク側装置によって配置されることが可能であり、したがって、ネットワーク側装置がどのようにアップリンクマルチアクセス方式を端末装置に通知するかは解決すべき緊急の問題である。
【発明の概要】
【発明が解決しようとする課題】
【０００３】
本発明の実施例は、端末装置がアップリンク伝送を行う時に自ら用いられるアップリンクマルチアクセス方式を知ることができるように、アップリンクデータを伝送するための方法、端末装置とネットワーク装置を提供する。
【課題を解決するための手段】
【０００４】
第一の態様によるアップリンクデータを伝送するための方法は、端末装置がネットワーク装置から送信されたダウンリンク制御情報（ＤＣＩ）を受信することと、前記端末装置が前記ＤＣＩのＤＣＩフォーマット又は前記ＤＣＩに含まれるパラメータ指示情報に基づき、前記端末装置のアップリンクマルチアクセス方式を確定することと、前記端末装置が前記アップリンクマルチアクセス方式に基づき、前記アップリンクデータを伝送することとを含む。
【０００５】
このようにして、端末装置はＤＣＩのＤＣＩフォーマット又はＤＣＩに含まれるパラメータ指示情報に基づいて端末装置のアップリンクマルチアクセス方式を確定し、それによってネットワーク装置は端末装置のためのアップリンクマルチアクセス方式を柔軟に調整することができる。
【０００６】
選択可能に、第一の態様の一つの実施形態では、前記端末装置が前記ＤＣＩのＤＣＩフォーマットに基づいて前記端末装置のアップリンクマルチアクセス方式を確定することは、前記端末装置が前記ＤＣＩのＤＣＩフォーマット、及びＤＣＩフォーマットとアップリンクマルチアクセス方式の対応関係に基づき、前記端末装置のアップリンクマルチアクセス方式を確定することを含む。
【０００７】
選択可能に、異なるＤＣＩフォーマットに対応する制御情報の長さが異なり、及び／又は異なるＤＣＩフォーマットに含まれるＤＣＩフォーマット指示ビットに示される情報が異なる。
【０００８】
例えば、ＤＣＩ  ｆｏｒｍａｔ０とｆｏｒｍａｔ４における制御情報の総ビット数が異なり、又はＤＣＩｆｏｒｍａｔ０とｆｏｒｍａｔ４におけるＤＣＩフォーマット指示ビットの内容が異なる。
【０００９】
理解すべきものとして、ＤＣＩフォーマットとアップリンクマルチアクセス方式の該対応関係はネットワーク装置によって確定されて端末装置に送信されてもよいし、端末装置とネットワーク装置によって予め定められてもよく、本発明の実施例において限定されない。
【００１０】
このようにして、端末装置はＤＣＩのＤＣＩフォーマットによりアップリンクマルチアクセス方式を確定し、それによってネットワーク装置は端末装置のためのアップリンクマルチアクセス方式を柔軟に調整することができる。
【００１１】
選択可能に、第一の態様の一つの実施形態では、前記端末装置が前記ＤＣＩに含まれるパラメータ指示情報に基づいて前記端末装置のアップリンクマルチアクセス方式を確定することは、前記端末装置が前記パラメータ指示情報に基づき、前記端末装置の伝送情報を確定し、前記伝送情報が前記端末装置の伝送層数及び／又は物理リソース配置方式を含むことと、前記端末装置が前記伝送情報に基づき、前記端末装置のアップリンクマルチアクセス方式を確定することとを含む。
【００１２】
このようにして、端末装置はＤＣＩにおけるパラメータ指示情報に基づいて端末装置の伝送層数及び／又は物理リソース配置方式を確定し、そして該伝送層数及び／又は該物理リソース配置情報に基づいてアップリンクマルチアクセス方式を確定し、それによってネットワーク装置が単層伝送を行う時に端末装置のためのアップリンクマルチアクセス方式を柔軟に調整することを実現する。
【００１３】
選択可能に、第一の態様の一つの実施形態では、前記パラメータ指示情報は、伝送層数指示情報、物理リソース配置方式指示情報、復調基準信号（ＤＭＲＳ）ポート指示情報、プリコーディング行列（ＰＭＩ）指示情報とコードワード指示情報のうちの少なくとも一つを含む。
【００１４】
一つの方式では、ネットワーク装置は該パラメータ指示情報により該端末装置の伝送情報を端末装置に直接示し、例えば該パラメータ指示情報が伝送層数指示情報又は物理リソース配置方式指示情報であってもよい。端末装置は該伝送層数指示情報を受信した後、自体の伝送層数を直接確定することができ、又は該物理リソース配置方式指示情報を受信した後、自体の物理リソース配置方式を直接確定することができる。
【００１５】
他の方式では、ネットワーク装置は該パラメータ指示情報により該端末装置の伝送情報を端末装置に間接的に示すことができ、例えば該パラメータ指示情報が復調基準信号（ＤＭＲＳ）ポート指示情報、プリコーディング行列（ＰＭＩ）指示情報又はコードワード指示情報であってもよい。
【００１６】
選択可能に、第一の態様の一つの実施形態では、前記伝送情報が前記端末装置の伝送層数を含み、ここで、前記端末装置が前記伝送情報に基づき、前記端末装置のアップリンクマルチアクセス方式を確定することは、前記端末装置が前記伝送層数が１であることを確定した場合、前記端末装置が前記ＤＣＩに含まれる情報に基づき、前記端末装置のアップリンクマルチアクセス方式を確定することを含む。
【００１７】
選択可能に、第一の態様の一つの実施形態では、前記端末装置が前記ＤＣＩに含まれる情報に基づき、前記端末装置のアップリンクマルチアクセス方式を確定することは、前記端末装置が前記ＤＣＩに含まれるＤＭＲＳ配置指示情報に基づき、前記アップリンクマルチアクセス方式を確定し、前記ＤＭＲＳ配置指示情報がＤＭＲＳ配置の情報と前記アップリンクマルチアクセス方式の情報をジョイント−コーディングして得られることを含む。
【００１８】
ここで、該ＤＭＲＳ配置情報は例えばサイクリックシフト配置及び／又は直交カバーコード（Ｏｒｔｈｏｇｏｎａｌ  Ｃｏｖｅｒ  Ｃｏｄｅ：「ＯＣＣ」と略称）配置を含む。
【００１９】
選択可能に、第一の態様の一つの実施形態では、前記端末装置が前記ＤＣＩに含まれる情報に基づき、前記端末装置のアップリンクマルチアクセス方式を確定することは、前記端末装置が前記ＤＣＩに含まれるクローズドコードワードの新規データ指示（ＮＤＩ）ビットの値に基づき、前記アップリンクマルチアクセス方式を確定することを含む。
【００２０】
該ＮＤＩビットは伝送層数が１より大きく又は該クローズドコードワードが有効になる時に、該クローズドコードワードで伝送されたデータが再送データであるか否かを示すことに用いられてもよい。
【００２１】
選択可能に、第一の態様の一つの実施形態では、前記端末装置が前記ＤＣＩに含まれる情報に基づき、前記端末装置のアップリンクマルチアクセス方式を確定することは、前記端末装置が前記ＤＣＩに含まれるクローズドコードワードの変調符号化方式（ＭＣＳ）指示情報に基づき、前記アップリンクマルチアクセス方式を確定することを含む。
【００２２】
該ＭＣＳ指示情報は、伝送層数が１より大きく又は該クローズドコードワードが有効になる時に、該クローズドコードワードで伝送されたデータの変調符号化方式を示すことに用いられてもよい。
【００２３】
選択可能に、第一の態様の一つの実施形態では、前記端末装置が前記ＤＣＩに含まれる情報に基づき、前記端末装置のアップリンクマルチアクセス方式を確定することは、前記端末装置が前記ＤＣＩに含まれるランク指示（ＲＩ）指示情報に基づき、前記アップリンクマルチアクセス方式を確定し、前記ＲＩ指示情報がＲＩの値と前記アップリンクマルチアクセス方式の情報をジョイント−コーディングして得られることを含む。
【００２４】
選択可能に、第一の態様の一つの実施形態では、前記端末装置が前記ＤＣＩに含まれる情報に基づき、前記端末装置のアップリンクマルチアクセス方式を確定することは、前記端末装置が前記ＤＣＩに含まれるパディング（ｐａｄｄｉｎｇ）ビットの値に基づき、前記アップリンクマルチアクセス方式を確定することを含む。
【００２５】
ここで、該パディングビットは他のＤＣＩフォーマットと同じ長さを維持するために、該ＤＣＩに追加された冗長ビットである。
【００２６】
選択可能に、第一の態様の一つの実施形態では、前記端末装置が前記ＤＣＩに含まれる情報に基づき、前記端末装置のアップリンクマルチアクセス方式を確定することは、前記端末装置が前記ＤＣＩに含まれる物理リソース配置方式指示情報に基づき、前記アップリンクマルチアクセス方式を確定することを含む。
【００２７】
本発明の実施例では、上記のいくつかの方式を用いて端末装置のアップリンクマルチアクセス方式を示すが、ＤＣＩにアップリンクマルチアクセス方式を示すための専用ビットを追加する必要がないため、ＤＣＩのペイロード（Ｐａｙｌｏａｄ）を増加させず、それによってＤＣＩの検出性能を向上させる。
【００２８】
理解すべきものとして、端末装置が伝送層数、物理リソース配置方式とアップリンクマルチアクセス方式を確定するプロセスに用いられたパラメータの間の対応関係、例えばＤＭＲＳポート数と伝送層数の対応関係、ＤＭＲＳ配置情報の値とＤＭＲＳ配置及びマルチアクセス方式の対応関係などは、ネットワーク装置と端末装置によって予め定められてもよく、例えばプロトコルに従って定められてもよいし、ネットワーク装置自体によって確定されて端末装置に通知されてもよく、本発明の実施例はこれに限定されない。
【００２９】
選択可能に、第一の態様の一つの実施形態では、前記伝送情報が前記端末装置の伝送層数を含み、ここで、前記端末装置が前記伝送情報に基づき、前記端末装置のアップリンクマルチアクセス方式を確定することは、前記端末装置が、前記伝送層数が１より大きいことを確定した場合、前記端末装置が、前記アップリンクマルチアクセス方式が前記ネットワーク装置と予め定められたアップリンクマルチアクセス方式であることを確定することを含む。
【００３０】
即ち、端末装置の伝送層数が１である場合、端末装置は上記の複数のマルチアクセスのいずれか一つを用いることができ、端末装置の伝送層数が１より大きい場合、端末装置はネットワーク装置と予め定められたアップリンクマルチアクセス方式を用いる。以下に、端末装置がどのようにＤＣＩに含まれる情報に基づき、端末装置のアップリンクマルチアクセス方式を確定するかについて具体的に説明する。
【００３１】
選択可能に、第一の態様の一つの実施形態では、前記伝送情報が前記端末装置の物理リソース配置方式を含み、ここで、前記端末装置が前記伝送情報に基づき、前記端末装置のアップリンクマルチアクセス方式を確定することは、前記端末装置が前記物理リソース配置方式、及び物理リソース配置方式とアップリンクマルチアクセス方式の対応関係に基づき、前記アップリンクマルチアクセス方式を確定することを含む。
【００３２】
例えば、ＤＣＩに示される物理リソース配置方式がタイプ（Ｔｙｐｅ）０である場合、端末装置はアップリンクマルチアクセス方式１を用い、ＤＣＩに示される物理リソース配置方式がタイプ（Ｔｙｐｅ）１である場合、端末装置はアップリンクマルチアクセス方式２を用いる。
【００３３】
ここで、物理リソース配置方式とアップリンクマルチアクセス方式の対応関係は、ネットワーク装置と端末装置によって予め定められてもよく、例えばプロトコルに従って定められてもよいし、ネットワーク装置自体によって確定されて端末装置に通知されてもよく、ここで限定されない。
【００３４】
選択可能に、第一の態様の一つの実施形態では、前記アップリンクマルチアクセス方式は、離散フーリエ変換スペクトル拡散直交周波数分割多重（ＤＦＴ−Ｓ−ＯＦＤＭ）、サイクリックプレフィックス直交周波数分割多重（ＣＰ−ＯＦＤＭ）、単一搬送波周波数分割マルチアクセス（ＳＣ−ＦＤＭＡ）と直交周波数分割マルチアクセス（ＯＦＤＭＡ）のいずれか一つを含む。
【００３５】
選択可能に、第一の態様の一つの実施形態では、前記端末装置が前記アップリンクマルチアクセス方式に基づき、前記アップリンクデータを伝送することは、前記端末装置が前記アップリンクマルチアクセス方式がＤＦＴ−Ｓ−ＯＦＤＭ又はＳＣ−ＦＤＭＡであることを確定した場合、前記端末装置が前記アップリンクデータに対して離散フーリエ変換（ＤＦＴ）を行い、そして前記ＤＦＴが行われた前記アップリンクデータをアップリンクデータチャネルで伝送することを含む。
【００３６】
選択可能に、第一の態様の一つの実施形態では、前記端末装置が前記アップリンクマルチアクセス方式に基づき、前記アップリンクデータを伝送することは、前記端末装置が前記アップリンクマルチアクセス方式がＣＰ−ＯＦＤＭ又はＯＦＤＭＡであることを確定した場合、前記端末装置が前記アップリンクデータに対するＤＦＴを禁止し、そして前記ＤＦＴが行われない前記アップリンクデータをアップリンクデータチャネルで伝送することを含む。
【００３７】
選択可能に、第一の態様の一つの実施形態では、前記端末装置が前記アップリンクマルチアクセス方式に基づき、前記アップリンクデータを伝送することは、前記端末装置が前記アップリンクマルチアクセス方式、及びアップリンクマルチアクセス方式とアップリンクデータチャネル構造の対応関係に基づき、ターゲットアップリンクデータチャネル構造を確定することと、前記端末装置が前記ターゲットアップリンクデータチャネル構造を用い、前記アップリンクデータを伝送することとを含む。
【００３８】
選択可能に、第一の態様の一つの実施形態では、前記アップリンクデータチャネル構造は、アップリンクデータチャネルの復調基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含む。
【００３９】
例えば、該アップリンクチャネル構造はＤＭＲＳが該アップリンクデータチャネルのＤＭＲＳリソース位置を含むことができ、例えばＤＭＲＳが直交周波数分割多重（Ｏｒｔｈｏｇｏｎａｌ  Ｆｒｅｑｕｅｎｃｙ  Ｄｉｖｉｓｉｏｎ  Ｍｕ１ｔｉｐｌｅｘｉｎｇ：「ＯＦＤＭ」と略称）シンボル全体又はＯＦＤＭシンボルの一部のサブ搬送波を占有するか、該アップリンクデータチャネル構造はさらに該アップリンクデータに用いられるプリコーディング行列を含むことができ、例えば該アップリンクデータが広帯域プリコーディング行列又はサブバンドプリコーディング行列を用いるか、該アップリンクデータチャネル構造はさらに該アップリンクデータチャネルに占有されたＯＦＤＭシンボル数などを含むことができる。
【００４０】
第二の態様による端末装置は、前記第一の態様及び各実施形態におけるアップリンクデータを伝送するための方法における端末装置によって実行される各プロセスを実行することに用いられてもよい。該端末装置は、ネットワーク装置から送信されたダウンリンク制御情報（ＤＣＩ）を受信するように構成される受信ユニットと、前記受信ユニットによって受信されたＤＣＩのＤＣＩフォーマット又は前記ＤＣＩに含まれるパラメータ指示情報に基づいて前記端末装置のアップリンクマルチアクセス方式を確定するように構成される確定ユニットと、前記確定ユニットによって確定された前記アップリンクマルチアクセス方式に基づき、前記アップリンクデータを伝送するように構成される送信ユニットとを備える。
【００４１】
第三の態様による端末装置は、前記第一の態様及び様々な実施形態におけるアップリンクデータを伝送するための方法における端末装置によって実行される各プロセスを実行することに用いられてもよい。該端末装置はプロセッサ、受信機と送信機を備える。前記受信機は、ネットワーク装置から送信されたダウンリンク制御情報（ＤＣＩ）を受信するように構成され、前記プロセッサは前記受信ユニットによって受信された前記ＤＣＩのＤＣＩフォーマットに基づいて前記端末装置のアップリンクマルチアクセス方式を確定し、又は前記ＤＣＩに含まれるパラメータ指示情報に基づいて前記端末装置のアップリンクマルチアクセス方式を確定するように構成され、前記送信機は前記プロセッサによって確定された前記アップリンクマルチアクセス方式に基づき、前記アップリンクデータを伝送するように構成される。
【００４２】
第四の態様によるコンピュータ可読記憶媒体は、端末装置に上記第一の態様、及びその各実施形態のいずれかのアップリンクデータを伝送するための方法を実行させるためのプログラムを記憶する。
【００４３】
第五の態様によるアップリンクデータを伝送するための方法は、ネットワーク装置が端末装置へダウンリンク制御情報（ＤＣＩ）を送信し、前記端末装置が前記ＤＣＩのＤＣＩフォーマット又は前記ＤＣＩに含まれるパラメータ指示情報に基づき、前記前記端末装置のアップリンクマルチアクセス方式を確定するようにすることと、前記ネットワーク装置が、前記端末装置が前記アップリンクマルチアクセス方式に基づいて伝送された前記アップリンクデータを受信することとを含む。
【００４４】
このようにして、ネットワーク装置は端末装置へＤＣＩを送信し、これにより端末装置は該ＤＣＩのＤＣＩフォーマット又はＤＣＩに含まれるパラメータ指示情報により端末装置のアップリンクマルチアクセス方式を確定することができ、それによってネットワーク装置が端末装置のためのアップリンクマルチアクセス方式を柔軟に調整することを実現する。
【００４５】
選択可能に、第五の態様の一つの実施形態では、前記ネットワーク装置が端末装置へダウンリンク制御情報（ＤＣＩ）を送信する前に、前記方法はさらに前記ネットワーク装置がＤＣＩフォーマットとアップリンクマルチアクセス方式の対応関係を確定することと、前記ネットワーク装置が前記端末装置へＤＣＩフォーマットとアップリンクマルチアクセス方式の前記対応関係の情報を送信し、前記端末装置が前記ＤＣＩのＤＣＩフォーマット、及びＤＣＩフォーマットとアップリンクマルチアクセス方式の前記対応関係に基づき、前記端末装置のアップリンクマルチアクセス方式を確定するようにすることとを含む。
【００４６】
選択可能に、第五の態様の一つの実施形態では、前記ネットワーク装置が端末装置へダウンリンク制御情報（ＤＣＩ）を送信する前に、前記方法はさらに前記ネットワーク装置がダウンリンク制御情報（ＤＣＩ）に含まれるパラメータ指示情報を確定し、前記パラメータ指示情報が前記端末装置の伝送情報を確定するために前記端末装置によって用いられ、前記端末装置が前記伝送情報に基づいて前記端末装置のアップリンクマルチアクセス方式を確定するようにし、前記伝送情報が前記端末装置の伝送層数及び／又は物理リソース配置方式を含む。
【００４７】
選択可能に、第五の態様の一つの実施形態では、前記パラメータ指示情報は、伝送層数指示情報、物理リソース配置方式指示情報、復調基準信号（ＤＭＲＳ）ポート指示情報、プリコーディング行列（ＰＭＩ）指示情報とコードワード指示情報のうちの少なくとも一つを含む。
【００４８】
選択可能に、第五の態様の一つの実施形態では、前記伝送情報が前記端末装置の伝送層数を含み、これにより端末装置は前記伝送層数が１であることを確定した場合、前記ＤＣＩに含まれる情報に基づき、前記アップリンクマルチアクセス方式を確定する。
【００４９】
選択可能に、第五の態様の一つの実施形態では、前記ＤＣＩに含まれる情報がＤＭＲＳ配置指示情報を含み、ここで、前記ネットワーク装置が前記端末装置へ前記ＤＣＩに含まれる情報を送信する前に、前記方法はさらに前記ネットワーク装置がＤＭＲＳ配置の情報と前記アップリンクマルチアクセス方式の情報をジョイント−コーディングし、前記ＤＭＲＳ配置指示情報を得ることを含む。
【００５０】
選択可能に、第五の一つの実施形態では、前記ＤＣＩに含まれる情報はクローズドコードワードの新規データ指示（ＮＤＩ）ビットの値を含む。
【００５１】
選択可能に、第五の態様の一つの実施形態では、前記ＤＣＩに含まれる情報はクローズドコードワードの変調符号化方式（ＭＣＳ）指示情報を含む。
【００５２】
選択可能に、第五の態様の一つの実施形態では、前記ＤＣＩに含まれる情報がランク指示（ＲＩ）指示情報を含み、ここで、前記ネットワーク装置が前記端末装置へ前記ＤＣＩに含まれる情報を送信する前に、前記方法はさらに前記ネットワーク装置がＲＩの値と前記アップリンクマルチアクセス方式の情報をジョイント−コーディングし、前記ＲＩ指示情報を得ることを含む。
【００５３】
選択可能に、第五の態様の一つの実施形態では、前記ＤＣＩに含まれる情報はパディングビットの値を含む。
【００５４】
選択可能に、第五の態様の一つの実施形態では、前記ＤＣＩに含まれる情報は物理リソース配置方式指示情報を含む。
【００５５】
選択可能に、第五の態様の一つの実施形態では、前記伝送情報が前記端末装置の伝送層数を含み、これにより前記端末装置は前記伝送層数が１より大きいことを確定した場合、前記アップリンクマルチアクセス方式が前記ネットワーク装置と予め定められたアップリンクマルチアクセス方式であることを確定する。
【００５６】
選択可能に、第五の態様の一つの実施形態では、前記伝送情報が前記端末装置の物理リソース配置方式を含み、これにより前記端末装置は前記物理リソース配置情報、及び物理リソース配置方式とアップリンクマルチアクセス方式の対応関係に基づき、前記アップリンクマルチアクセス方式を確定する。
【００５７】
選択可能に、第五の態様の一つの実施形態では、前記アップリンクマルチアクセス方式は、離散フーリエ変換スペクトル拡散直交周波数分割多重（ＤＦＴ−Ｓ−ＯＦＤＭ）、サイクリックプレフィックス直交周波数分割多重（ＣＰ−ＯＦＤＭ）、単一搬送波周波数分割マルチアクセス（ＳＣ−ＦＤＭＡ）と直交周波数分割マルチアクセス（ＯＦＤＭＡ）のいずれか一つを含む。
【００５８】
選択可能に、第五の態様の一つの実施形態では、前記ネットワーク装置が、前記端末装置が前記アップリンクマルチアクセス方式に基づいて伝送した前記アップリンクデータを受信することは、前記ネットワーク装置が、前記端末装置がＤＦＴ−Ｓ−ＯＦＤＭ又はＳＣ−ＦＤＭＡマルチアクセス方式に基づいて伝送した前記アップリンクデータを受信し、前記アップリンクデータが前記端末装置によって離散フーリエ変換を実行した前記アップリンクデータであることを含む。
【００５９】
選択可能に、第五の態様の一つの実施形態では、前記ネットワーク装置が、前記端末装置が前記アップリンクマルチアクセス方式に基づいて伝送した前記アップリンクデータを受信することは、前記ネットワーク装置が、前記端末装置がＣＰ−ＯＦＤＭ又はＯＦＤＭＡマルチアクセス方式に基づいて伝送した前記アップリンクデータを受信し、前記アップリンクデータが前記端末装置によって離散フーリエ変換を実行しない前記アップリンクデータであることを含む。
【００６０】
選択可能に、第五の態様の一つの実施形態では、前記ネットワーク装置が、前記端末装が前記アップリンクマルチアクセス方式に基づいて伝送した前記アップリンクデータを受信することは、前記ネットワーク装置が、前記端末装置がターゲットアップリンクデータチャネル構造を用いて伝送した前記アップリンクデータを受信し、前記ターゲットアップリンクデータチャネル構造が前記アップリンクマルチアクセス方式、及びアップリンクマルチアクセス方式とアップリンクデータチャネル構造の対応関係に基づいて前記端末装置によって確定されることを含む。
【００６１】
選択可能に、第五の態様の一つの実施形態では、前記アップリンクデータチャネル構造は、アップリンクデータチャネルの復調基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含む。
【００６２】
第六のネットワーク装置は、前記第五の態様及び各実施形態におけるアップリンクデータを伝送するための方法における端末装置によって実行される各プロセスを実行することに用いられてもよい。該ネットワーク装置は、前記端末装置が前記ＤＣＩのＤＣＩフォーマット又は前記ＤＣＩに含まれるパラメータ指示情報に基づいて前記端末装置のアップリンクマルチアクセス方式を確定するように、端末装置へダウンリンク制御情報（ＤＣＩ）を送信するように構成される送信ユニットと、前記端末装置が前記アップリンクマルチアクセス方式に基づいて伝送した前記アップリンクデータを受信するように構成される受信ユニットとを備える。
【００６３】
第七の態様によるネットワーク装置は、前記第五の態様及び各実施形態におけるアップリンクデータを伝送するための方法における端末装置によって実行される各プロセスを実行することに用いられてもよい。該ネットワーク装置はプロセッサ、受信機と送信機を備える。前記送信機は、前記端末装置が前記ＤＣＩのＤＣＩフォーマット又は前記ＤＣＩに含まれるパラメータ指示情報に基づき、前記端末装置のアップリンクマルチアクセス方式を確定するように、端末装置へダウンリンク制御情報（ＤＣＩ）を送信するように構成され、前記受信機は前記端末装置が前記アップリンクマルチアクセス方式に基づいて伝送した前記アップリンクデータを受信するように構成される。
【００６４】
第八の態様によるコンピュータ可読記憶媒体は、ネットワーク装置に上記第五の態様、及びその各実施形態のいずれか一つにおけるアップリンクデータを伝送するための方法を実行させるためのプログラムを記憶する。
【図面の簡単な説明】
【００６５】
【図１】本発明の実施例による応用シーンの概略アーキテクチャ図である。
【図２】本発明の実施例によるアップリンクデータを伝送するための方法のプロセスインターラクション図である。
【図３】本発明の実施例によるアップリンクデータを伝送するための方法のプロセスインターラクション図である。
【図４】本発明の実施例によるアップリンクデータを伝送するための方法のプロセスインターラクション図である。
【図５】本発明の実施例によるアップリンクデータを伝送するための方法のプロセスインターラクション図である。
【図６】本発明の実施例による端末装置の構造ブロック図である。
【図７】本発明の実施例による端末装置の構造ブロック図である。
【図８】本発明の実施例によるシステムチップの概略構造図である。
【図９】本発明の実施例によるネットワーク装置の構造ブロック図である。
【図１０】本発明の実施例によるネットワーク装置の構造ブロック図である。
【図１１】本発明の実施例によるシステムチップの概略構造図である。
【発明を実施するための形態】
【００６６】
以下に図面を組み合わせながら本発明の実施例における技術的解決策を説明する。
【００６７】
理解すべきものとして、本発明の実施例における技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、長期進化型（Ｌｏｎｇ  Ｔｅｒｍ  Ｅｖｏｌｕｔｉｏｎ；「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）、ＬＴＥ時間分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、及び将来の５Ｇ通信システムなどに応用されてもよい。
【００６８】
本発明は端末装置と組み合わせて各実施例を説明する。端末装置はユーザ装置（Ｕｓｅｒ  Ｅｑｕｉｐｍｅｎｔ：「ＵＥ」と略称）、アクセス端末、加入者ユニット、加入者局、移動局、移動ステーション、遠隔局、遠隔端末、移動装置、ユーザ端末、端末、無線通信装置、ユーザエージェント又はユーザ装置であってもよい。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、無線ローカルループ（Ｗｉｒｅｌｅｓｓ  Ｌｏｃａｌ  Ｌｏｏｐ：「ＷＬＬ」と略称）サイト、パーソナルデジタル処理（Ｐｅｒｓｏｎａ１  Ｄｉｇｉｔａ１  Ａｓｓｉｓｔａｎｔ：「ＰＤＡ」と略称）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮにおける端末装置などであってもよい。
【００６９】
本発明はネットワーク装置と組み合わせて各実施例を説明する。ネットワーク装置は端末装置と通信するための装置であってもよく、例えば、ＧＳＭシステム又はＣＤＭＡにおける基地局（Ｂａｓｅ  Ｔｒａｎｓｃｅｉｖｅｒ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎｏｄｅ  Ｂ：「ｅＮＢ又はｅＮｏｄｅＢ」と略称）であってもよく、又は該ネットワーク装置は中継局、アクセスポイント、車載デバイス、ウェアラブルデバイス及び将来の５Ｇネットワークにおけるネットワーク側装置又は将来の進化したＰＬＭＮネットワークにおけるネットワーク装置などであってもよい。
【００７０】
本発明の実施例では、アップリンクマルチアクセス方式は５Ｇシステムにおいてアップリンク波形（ｗａｖｅｆｏｒｍ）とも呼ばれてもよい。
【００７１】
図１は本発明の一つの応用シーンの概略図である。図１における通信システムはネットワーク装置１０と端末装置２０を備えることができる。ネットワーク装置１０は端末装置２０に通信サービスを提供することに用いられ且つアクセスネットワークにアクセスされ、端末装置２０はネットワーク装置１０から送信された同期信号、ブロードキャスト信号などを検索してネットワークにアクセスすることにより、ネットワークとの通信を行う。図１に示される矢印は、端末装置２０とネットワーク装置１０の間のセルラーリンクによるアップリンク／ダウンリンク伝送を表すことができる。
【００７２】
本発明の実施例におけるネットワークは公衆陸上モバイルネットワーク（Ｐｕｂｌｉｃ  Ｌａｎｄ  Ｍｏｂｉｌｅ  Ｎｅｔｗｏｒｋ：「ＰＬＭＮ」と略称）又はデバイスツーデバイス（Ｄｅｖｉｃｅ  ｔｏ  Ｄｅｖｉｃｅ：「Ｄ２Ｄ」と略称）ネットワーク又はマシンツーマシン／マン（Ｍａｃｈｉｎｅ  ｔｏ  Ｍａｃｈｉｎｅ／Ｍａｎ：「Ｍ２Ｍ」と略称）ネットワーク又は他のネットワークを指すことができ、図１は例の簡略図であり、ネットワークに他の端末装置が含まれてもよく、図１に示されない。
【００７３】
図２は本発明の実施例によるアップリンクデータを伝送するための方法のプロセスインターラクション図である。図２にネットワーク装置と端末装置が示され、該ネットワーク装置は例えば図１に示すネットワーク装置１０であってもよく、該端末装置は例えば図１に示す端末装置２０であってもよい。本発明の実施例では、端末装置はダウンリンク制御情報（Ｄｏｗｎｌｏａｄ  Ｃｏｎｔｒｏｌ  Ｉｎｆｏｒｍａｔｉｏｎ：「ＤＣＩ」と略称）におけるパラメータ指示情報に基づいて端末装置の伝送層数及び／又は物理リソース配置方式を確定し、そして該伝送層数及び／又は該物理リソース配置方式に基づいてアップリンクマルチアクセス方式を確定することができ、これによりネットワーク装置が単層伝送を行う時に端末装置のためのアップリンクマルチアクセス方式を柔軟に調整することを実現する。図２に示すように、このアップリンクデータを伝送する具体的なプロセスは２１０〜２５０を含む。
【００７４】
２１０において、ネットワーク装置は端末装置へダウンリンク制御情報（ＤＣＩ）を送信する。
【００７５】
２２０において、端末装置はネットワーク装置から送信された該ＤＣＩを受信する。
【００７６】
２３０において、端末装置は該ＤＣＩのＤＣＩフォーマット又は該ＤＣＩに含まれるパラメータ指示情報に基づき、端末装置のアップリンクマルチアクセス方式を確定する。
【００７７】
具体的には、ネットワーク措装置は端末装置へＤＣＩを送信することにより、アップリンクマルチアクセス方式を端末装置に示し、ここで、ネットワーク装置はＤＣＩのＤＣＩフォーマット（ＤＣＩ  ｆｏｒｍａｔ）例えばＤＣＩ  ｆｏｒｍａｔ０、ＤＣＩ  ｆｏｒｍａｔ４などにより、該アップリンクマルチアクセス方式を端末装置に示すことができ、又はネットワーク装置はＤＣＩに含まれるパラメータ指示情報例えば伝送層データ指示情報、物理リソース配置方式指示情報、復調基準信号（ＤＭＲＳ）ポート指示情報、プリコーディング行列（ＰＭＩ）指示情報とコードワード指示情報などにより、該アップリンクマルチアクセス方式を端末装置に示すことができる。端末装置は該ＤＣＩを受信した後、該ＤＣＩのＤＣＩフォーマット又はＤＣＩに含まれる該パラメータ指示情報により、該端末装置のアップリンクマルチアクセスを確定することができる。
【００７８】
選択可能に、端末装置が該ＤＣＩのＤＣＩフォーマットに基づいて端末装置のアップリンクマルチアクセス方式を確定することは、端末装置が該ＤＣＩのＤＣＩフォーマット、及びＤＣＩフォーマットとアップリンクマルチアクセス方式の対応関係に基づき、該アップリンクマルチアクセス方式を確定することを含む。
【００７９】
選択可能に、異なるＤＣＩフォーマットに対応する制御情報の長さが異なり、及び／又は異なるＤＣＩフォーマットに含まれるＤＣＩフォーマット指示ビットに示される情報が異なる。
【００８０】
ここで、ＤＣＩフォーマットとアップリンクマルチアクセス方式の対応関係はネットワーク装置によって確定されて端末装置に示されてもよく、ネットワーク装置と端末装置によって予め定められてもよく、例えばプロトコルに従って定められてもよい。
【００８１】
選択可能に、端末装置がＤＣＩに含まれるパラメータ指示情報に基づいて端末装置のアップリンクマルチアクセス方式を確定することは、端末装置が該パラメータ指示情報に基づき、前記端末装置の伝送情報を確定し、該伝送情報が端末装置の伝送層数及び／又は物理リソース配置方式を含むことと、端末装置が該伝送情報に基づき、該アップリンクマルチアクセス方式を確定することとを含む。
【００８２】
ここで、選択可能に、前記端末装置が、該伝送層数が１であることを確定した場合、端末装置は該ＤＣＩに含まれる情報に基づき、該アップリンクマルチアクセス方式を確定し、前記端末装置が、該伝送層数が１より大きいことを確定した場合、端末装置は該アップリンクマルチアクセス方式がネットワーク装置と予め定められたアップリンクマルチアクセス方式であることを確定する。
【００８３】
即ち、端末装置の伝送層数が１である場合、端末装置は上記複数のマルチアクセス方式のいずれか一つを用いることができ、端末装置の伝送層数が１より大きい場合、端末装置はネットワーク装置と予め定められたアップリンクマルチアクセス方式を用いる。
【００８４】
２４０において、端末装置は該アップリンクマルチアクセス方式に基づき、該アップリンクデータを伝送する。
【００８５】
具体的には、端末装置は端末装置のアップリンクマルチアクセス方式を確定した後、該アップリンクマルチアクセス方式に基づき、ネットワーク装置へ該アップリンクデータを送信する。該アップリンクマルチアクセス方式例えばＤＦＴ−Ｓ−ＯＦＤＭ、ＣＰ−ＯＦＤＭ、ＳＣ−ＦＤま、ＯＦＤＭなどを含む。
【００８６】
選択可能に、該端末装置が該アップリンクマルチアクセス方式に基づき、該アップリンクデータを伝送することは、該端末装置が、該アップリンクマルチアクセス方式がＤＦＴ−Ｓ−ＯＦＤＭ又はＳＣ−ＦＤＭＡであることを確定した場合、該端末装置は該アップリンクデータに対して離散フーリエ変換（Ｄｉｓｃｒｅｔｅ  Ｆｏｕｒｉｅｒ  Ｔｒａｎｓｆｏｒｍａｔｉｏｎ：「ＤＦＴ」と略称）を行い、そして該ＤＦＴが行われたアップリンクデータをアップリンクデータチャネルで伝送することを含む。
【００８７】
選択可能に、該端末装置が該アップリンクマルチアクセス方式に基づき、該アップリンクデータを伝送することは、該端末装置が、該アップリンクマルチアクセス方式がＣＰ−ＯＦＤＭ又はＯＦＤＭＡであることを確定した場合、該端末装置は、該アップリンクデータへのＤＦＴを禁止し、そしてＤＦＴが行われない該アップリンクデータをアップリンクデータチャネルで伝送することを含む。
【００８８】
選択可能に、端末装置が該アップリンクマルチアクセス方式に基づき、該アップリンクデータを伝送することは、該端末装置が該アップリンクマルチアクセス方式、及びアップリンクマルチアクセス方式とアップリンクデータチャネル構造の対応関係に基づき、ターゲットアップリンクデータチャネル構造を確定することと、該端末装置が該ターゲットアップリンクデータチャネル構造を用い、該アップリンクデータを伝送することとを含む。
【００８９】
ここで、該アップリンクデータチャネル構造は、アップリンクデータチャネルの復号基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含む。
【００９０】
具体的には、端末装置とネットワーク装置がアップリンクマルチアクセス方式とアップリンクデータチャネル構造の関係を予め定め、そして該端末装置のアップリンクマルチアクセス方式に対応するアップリンクデータチャネル構造を用い、該アップリンクデータを伝送することができる。
【００９１】
例えば、該アップリンクデータチャネル構造は該アップリンクデータチャネルのＤＭＲＳリソース位置を含むことができ、例えばＤＭＲＳが直交周波数分割多重（Ｏｒｔｈｏｇｏｎａｌ  Ｆｒｅｑｕｅｎｃｙ  Ｄｉｖｉｓｉｏｎ  Ｍｕ１ｔｉｐｌｅｘｉｎｇ：「ＯＦＤＭ」と略称）シンボル全体又はＯＦＤＭシンボルの一部のサブ搬送波を占有するか、該アップリンクデータチャネル構造はさらに該アップリンクデータのＤＭＲＳシーケンスを含むことができ、異なるアップリンクデータチャネル構造は異なるＤＭＲＳシーケンスを用いることができ、該アップリンクデータチャネル構造はさらに該アップリンクデータチャネルに用いられるプリコーディング行列を含むことができ、例えば該アップリンクデータが広帯域プリコーディング行列又はサブバンドプリコーディング行列を用いるか、該アップリンクデータチャネル構造はさらに該アップリンクデータチャネルに占有されたＯＦＤＭシンボル数などを含むことができる。
【００９２】
２５０において、ネットワーク装置は端末装置が該アップリンクマルチアクセス方式に基づいて伝送した該アップリンクデータを受信する。
【００９３】
本発明の実施例では、端末装置はＤＣＩにおけるパラメータ指示情報により端末装置の伝送層数及び／又は物理リソース配置方式を確定し、そして該伝送層数及び／又は該物理リソース配置方式に基づいてアップリンクマルチアクセス方式を確定し、これによりネットワーク装置が単層伝送を行う時に端末装置のためのアップリンクマルチアクセス方式を柔軟に調整することを実現する。
【００９４】
以下に図３〜図５を組み合わせて２３０における端末装置がどのように該ＤＣＩのＤＣＩフォーマット又は該ＤＣＩに含まれるパラメータ指示情報に基づいて該アップリンクマルチアクセス方式を確定するかについて説明する。
【００９５】
図３は本発明の実施例によるアップリンクデータを伝送するための方法のプロセスインターラクション図である。図３に示すように、２３０は２３１に置き換えられてもよく、該実施例では、端末装置は該ＤＣＩのＤＣＩフォーマット、及びＤＣＩフォーマットとアップリンクマルチアクセス方式の対応関係に基づき、該アップリンクマルチアクセス方式を確定することができる。
【００９６】
２３１において、端末装置は該ＤＣＩのＤＣＩフォーマット、及びＤＣＩフォーマットとアップリンクマルチアクセス方式の対応関係に基づき、該アップリンクマルチアクセス方式を確定する。
【００９７】
例えば、端末装置はＤＣＩを受信した後、複数の可能なＤＣＩフォーマットをブランド検出して該ＤＣＩのＤＣＩフォーマットを確定し、そして該ＤＣＩフォーマット、及びＤＣＩフォーマットとアップリンクマルチアクセス方式の対応関係に基づいて該アップリンクマルチアクセス方式を確定することができる。ＤＣＩフォーマットとアップリンクマルチアクセス方式の該対応関係は例えば表１に示されてもよい。ここで、ＤＣＩ  ｆｏｒｍａｔ０がシングルポート伝送をスケジューリングするためのＤＣＩフォーマットであり、ＤＣＩ  ｆｏｒｍａｔ０に対応するマルチアクセス方式がＤＦＴ−Ｓ−ＯＦＤＭであり、端末装置は、複数の可能なＤＣＩフォーマットをブランド検出した後に該ＤＣＩのＤＣＩフォーマットがＤＣＩ  ｆｏｒｍａｔ０であることを確定した場合、表１に基づいて該端末装置のアップリンクマルチアクセス方式がＤＦＴ−Ｓ−ＯＦＤＭであることを確定することができ、ＤＣＩ  ｆｏｒｍａｔ４がアップリンクＭＩＭＯ伝送をスケジューリングするためのＤＣＩフォーマットであり、ＤＣＩ  ｆｏｒｍａｔ４に対応するアップリンクマルチアクセス方式がＣＰ−ＯＦＤＭであり、端末装置は、複数の可能なＤＣＩフォーマットをブランド検出した後に該ＤＣＩのＤＣＩフォーマットがＤＣＩ  ｆｏｒｍａｔ４であることを確定した場合、表１に基づいて該端末装置のアップリンクマルチアクセス方式がＣＰ−ＯＦＤＭであることを確定することができる。
【００９８】
0006932776.tif 000002
さらに、図４に示すように、ネットワーク装置が端末装置へ該ＤＣＩを送信する前に、該方法はさらに２５１〜２５３を含むことができる。
【００９９】
２５１において、ネットワーク装置はＤＣＩフォーマットとアップリンクマルチアクセス方式の対応関係を確定する。
【０１００】
２５２において、ネットワーク装置は前記端末装置へＤＣＩフォーマットとアップリンクマルチアクセス方式の該対応関係の情報を送信する。
【０１０１】
２５３において、端末装置はネットワーク装置から送信されたＤＣＩフォーマットとアップリンクマルチアクセス方式の該対応関係の情報を受信する。
【０１０２】
理解すべきものとして、ＤＣＩフォーマットとアップリンクマルチアクセス方式の該対応関係はネットワーク装置によって確定されて端末装置に送信されてもよいし、端末装置とネットワーク装置によって予め定められてもよく、本発明の実施例で限定されない。
【０１０３】
選択可能に、異なるＤＣＩフォーマットに対応する制御情報の長さが異なり、及び／又は異なるＤＣＩフォーマットに含まれるＤＣＩフォーマット指示ビットに示される情報が異なる。
【０１０４】
例えば、ＤＣＩ  ｆｏｒｍａｔ０及びｆｏｒｍａｔ４における制御情報の総ビット数が異なり、又はＤＣＩ  ｆｏｒｍａｔ０及びｆｏｒｍａｔ４におけるＤＣＩフォーマット指示ビットの内容が異なる。
【０１０５】
該実施例では、端末装置はＤＣＩのＤＣＩフォーマットによりアップリンクマルチアクセス方式を確定し、これによりネットワーク装置は端末装置のためのアップリンクマルチアクセス方式を柔軟に調整することができる。
【０１０６】
図５は本発明の実施例によるアップリンクデータを伝送するための方法のプロセスインターラクション図である。図５に示すように、２１０の前に、該方法はさらに２６０を含むことができ、そして２３０が２３２及び２３３に置き換えられてもよい。端末装置は該パラメータ指示情報に基づいて端末装置の伝送情報を確定することができ、該伝送情報が端末装置の伝送層及び／又は物理リソース配置方式を含み、そして端末装置は該伝送情報に基づき、該アップリンクマルチアクセス方式を確定する。
【０１０７】
２６０において、ネットワーク装置は該パラメータ指示情報を確定する。
【０１０８】
ここで、該パラメータ指示情報はネットワーク装置から端末装置に送信されたＤＣＩに含まれてもよい。
【０１０９】
具体的には、ネットワーク装置は端末装置に該端末装置のためのアップリンクマルチアクセス方式を配置した後、端末装置へＤＣＩを送信する時に、ＤＣＩに含まれるパラメータ指示情報により、該伝送層数及び／又は該物理リソース配置方式を端末装置に示すことができる。
【０１１０】
選択可能に、該パラメータ指示情報は、伝送層数指示情報、物理リソース配置方式指示情報、復調基準信号（ＤｅＭｏｄｕｌａｔｉｏｎ  Ｒｅｆｅｒｅｎｃｅ  Ｓｉｇｎａｌ：「ＤＭＲＳ」と略称）ポート指示情報、プリコーディング行列（Ｐｒｅｃｏｄｉｎｇ  Ｍａｔｒｉｘ  Ｉｎｄｉｃａｔｏｒ：「ＰＭＩ」）指示情報とコードワード指示情報のうちの少なくとも一つを含むことができる。
【０１１１】
２３２において、端末装置は該パラメータ指示情報に基づき、端末装置の伝送情報を確定する。
【０１１２】
ここで、該伝送情報は端末装置の伝送層数及び／又は物理リソース配置方式を含む。
【０１１３】
具体的には、端末装置はネットワーク装置から送信された該パラメータ指示情報を受信した後、該パラメータ指示情報に基づき、該端末装置の伝送情報、例えば該端末装置の伝送層数及び／又は物理リソース配置方式を確定する。
【０１１４】
一つの方式では、ネットワーク装置は該パラメータ指示情報により該端末装置の伝送情報を端末装置に示し、例えば該パラメータ指示情報が伝送層数指示情報又は物理リソース配置方式指示情報であってもよい。端末装置は該伝送層数指示情報を受信した後、自体の伝送層数を直接確定することができ、又は該物理リソース配置方式指示情報を受信した後、自体の物理リソース配置方式を直接確定することができる。
【０１１５】
例えば、ネットワーク装置から端末装置に送信されたＤＣＩには、２ビットがあり得、伝送層数を示すために用いられる。例えば該２ビットの値００が伝送層数１を示し、該２ビットの値０１が伝送層数２を示し、該２ビットの値１０が伝送層数３を示し、該２ビットの値１１が伝送層数４を示す。
【０１１６】
また、例えば、ネットワーク装置から端末装置に送信されたＤＣＩには、物理リソース配置方式を示すための１ビットがあり得る。例えば該１ビットの値０が物理リソース配置方式１を示し、該１ビットの値１が物理リソース配置方式２を示す。
【０１１７】
他の方式では、一つの態様では、ネットワーク装置は該パラメータ指示情報により該端末装置の伝送情報を端末装置に間接的に示すことができ、例えば該パラメータ指示情報が復調基準信号（ＤＭＲＳ）ポート指示情報、プリコーディング行列（ＰＭＩ）指示情報又はコードワード指示情報であってもよい。
【０１１８】
例えば、該ＤＭＲＳポート指示情報がＤＭＲＳポート数を示すことに用いられ、端末装置はＤＭＲＳポート指示情報を受信した後、対応するＤＭＲＳポート数を知り、そして該ＤＭＲＳポート数に基づいて自体の伝送層数を確定することができる。例えば端末装置は該ＤＭＲＳポート数、及びＤＭＲＳポート数と伝送層数の対応関係に基づき、該端末装置の伝送数を確定する。又は、ネットワーク装置はＤＣＩにおいてＤＭＲＳポート指示情報によりＤＭＲＳポート数と伝送層数を組み合わせて示すこともできる。
【０１１９】
また、例えば、ネットワーク装置はＤＣＩにおいてＰＭＩと端末装置の伝送層数をジョイント−コーディングすることができ、これにより端末装置はＰＭＩ指示情報を受信した後、該ＰＭＩ指示情報から自体の伝送層数の情報を取得することができる。
【０１２０】
また、例えば、該コードワード指示情報が伝送コードワード数を示すことに用いられ、端末装置はコードワード指示情報を受信した後、対応する伝送コードワード数を知り、そして伝送コードワード数に基づいて自体の伝送層数を確定することができる。例えば、端末装置は該伝送コードワード数、及び伝送コードワード数と伝送層数の対応関係に基づき、該端末装置の伝送層数を確定する。
【０１２１】
２３３において、端末装置は該伝送情報に基づき、端末装置のアップリンクマルチアクセス方式を確定する。
【０１２２】
選択可能に、該アップリンクマルチアクセス方式は、離散フーリエ変換スペクトル拡散直交周波数分割多重（ＤＦＴ−Ｓ−ＯＦＤＭ）、サイクリックプレフィックス直交周波数分割多重（ＣＰ−ＯＦＤＭ）、単一搬送波周波数分割マルチアクセス（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ：「ＳＣ−ＦＤＭＡ」と略称）と直交周波数分割マルチアクセス（Ｏｒｔｈｏｇｏｎａｌ  Ｆｒｅｑｕｅｎｃｙ  Ｄｉｖｉｓｉｏｎ  Ｍｕ１ｔｉｐｌｅ：「ＯＦＤＭＡ」と略称）のいずれか一つを含む。
【０１２３】
該伝送情報は伝送層数及び／又は物理リソース配置方式を含むことができる。以下に、伝送情報が伝送層数を含むこと、及び伝送情報が物理リソース配置方式を含むことについてそれぞれ詳細に説明する。
【０１２４】
状況１  該伝送情報が伝送層数を含む
選択可能に、端末装置が伝送情報に基づき、端末装置のアップリンクマルチアクセス方式を確定することは、端末装置が、該伝送層数が１より大きいこと確定した場合、端末装置が該アップリンクマルチアクセス方式がネットワーク装置と予め定められたアップリンクマルチアクセス方式であることを確定することを含む。
【０１２５】
選択可能に、端末装置が伝送情報に基づき、端末装置のアップリンクマルチアクセス方式を確定することは、端末装置が、該伝送層数が１であることを確定した場合、端末装置はＤＣＩに含まれる情報に基づき、端末装置のアップリンクマルチアクセス方式を確定することを含む。
【０１２６】
即ち、端末装置の伝送層数が１である場合、端末装置は上記の複数のマルチアクセスのいずれか一つを用いることができ、端末装置の伝送層数が１より大きい場合、端末装置はネットワーク装置と予め定められたアップリンクマルチアクセス方式を用いる。以下に、端末装置がどのようにＤＣＩに含まれる情報に基づき、端末装置のアップリンクマルチアクセス方式を確定するかについて具体的に説明する。
【０１２７】
しかし、理解すべきものとして、本発明の実施例では、端末装置は、該伝送層数が一定の要求を満たすことを確定した時にアップリンクマルチアクセス方式を自ら確定することができ、例えば伝送層数がｎより小さいという条件を満たす場合、ＤＣＩに含まれる情報に基づき、端末装置のアップリンクマルチアクセス方式を確定し、該伝送層数がｎより大きいことを確定した場合、ネットワーク装置と予め定められたアップリンクマルチアクセス方式を用い、ここでｎが１より大きい正整数である。
【０１２８】
選択可能に、端末装置がＤＣＩに含まれる情報に基づき、端末装置のアップリンクマルチアクセス方式を確定することは、端末装置が該ＤＣＩに含まれるＤＭＲＳ配置指示情報に基づき、該アップリンクマルチアクセス方式を確定し、該ＤＭＲＳ配置指示情報がＤＭＲＳ配置の情報と該アップリンクアクセス方式の情報をジョイント−コーディングして得られることを含む。
【０１２９】
即ち、ネットワーク装置が端末装置へＤＣＩに含まれるＤＭＲＳ配置指示情報を送信する前に、さらにネットワーク装置がＤＭＲＳ配置の情報と該アップリンクマルチアクセス方式をジョイント−コーディングし、該ＲＩ指示情報を得ることを含む。
【０１３０】
該ＤＭＲＳ配置情報が３ビットであると仮定する場合、異なるＤＭＲＳ配置指示情報に示される内容は例えば表２に示されてもよい。ここで、ＤＭＲＳ配置１とＤＭＲＳ配置２はそれぞれ伝送数１がである場合のＤＭＲＳ配置であり、且つ、ＤＭＲＳ配置３〜ＤＭＲＳ配置６はそれぞれ伝送層数が１より大きい場合のＤＭＲＳ配置に対応する。
【０１３１】
0006932776.tif 000003
これから分かるように、ＤＭＲＳ配置指示情報が０である場合、端末装置がＤＭＲＳ配置１を用い且つマルチアクセス方式１を用いることを示し、ＤＭＲＳ配置指示情報が１である場合、端末装置がＤＭＲＳ配置１を用い且つマルチアクセス方式２を用いることを示し、ＤＭＲＳ配置指示情報が２である場合、端末装置がＤＭＲＳ配置２を用い且つマルチアクセス方式１を用いることを示し、ＤＭＲＳ配置指示情報が３である場合、端末装置がＤＭＲＳ配置２を用い且つマルチアクセス方式２を用いることを示す。ＤＭＲＳ配置指示情報が４である場合、端末装置がＤＭＲＳ配置３を用いることを示し、ＤＭＲＳ配置指示情報が５である場合、端末装置がＤＭＲＳ配置４を用いることを示し、ＤＭＲＳ配置指示情報が６である場合、端末装置がＤＭＲＳ配置５を用いることを示し、ＤＭＲＳ配置指示情報が７である場合、端末装置がＤＭＲＳ配置６を用いることを示す。
【０１３２】
ここで、該ＤＭＲＳ配置は例えばサイクリックシフト配置及び／又は直交カバーコード（Ｏｒｔｈｏｇｏｎａｌ  Ｃｏｖｅｒ  Ｃｏｄｅ：「ＯＣＣ」と略称）配置を含む。
【０１３３】
選択可能に、端末装置がＤＣＩに含まれる情報に基づき、端末装置のアップリンクマルチアクセス方式を確定することは、端末装置が該ＤＣＩに含まれるクローズドコードワードの新規データ指示（Ｎｅｗ  Ｄａｔａ  ｉｎｄｉｃａｔｏｒ：「ＮＤＩ」と略称）ビットの値に基づき、該アップリンクマルチアクセス方式を確定することを含む。
【０１３４】
該ＮＤＩビットは伝送層数が１より大きく又は該クローズドコードワードが有効になる時に、該クローズドコードワードで伝送されたデータが再送データであるか否かを示すことに用いられてもよい。
【０１３５】
例えば、表３の方式により該ＮＤＩビットの意味を確定することができる。
【０１３６】
0006932776.tif 000004
選択可能に、端末装置がＤＣＩに含まれる情報に基づき、端末装置のアップリンクマルチアクセス方式を確定することは、端末装置が該ＤＣＩに含まれるクローズコードの変調符号化方式（ＭＣＳ）指示情報に基づき、該アップリンクマルチアクセス方式を確定することを含む。
【０１３７】
該ＭＣＳ指示情報は、伝送層数が１より大きく又は該クローズコードワードが有効になる時に、該クローズコードワードで伝送されたデータの変調符号化方式を示すことに用いられてもよい。
【０１３８】
例えば、伝送層数が１である場合、コードワードの変調符号化方式（ＭＣＳ）指示情報がＡであると、端末装置の該アップリンクマルチアクセス方式がアップリンクマルチアクセス方式１であることを示すことができ、コードワードの変調符号化方式（ＭＣＳ）指示情報がＢであると、端末装置の該アップリンクマルチアクセス方式がアップリンクマルチアクセス方式２であることを示すことができる。
【０１３９】
選択可能に、端末装置が前記ＤＣＩに含まれる情報に基づき、端末装置のアップリンクマルチアクセス方式を確定することは、端末装置がＤＣＩに含まれるランク指示（ＲＩ）指示情報に基づき、アップリンクマルチアクセス方式を確定し、ここで、該ＲＩ指示情報がＲＩの値と該アップリンクマルチアクセス方式の情報をジョイント−コーディングして得られることを含む。
【０１４０】
即ち、ネットワーク装置が端末装置へＤＣＩに含まれるＲＩ指示情報を送信する前に、さらにネットワーク装置がＲＩの値と該アップリンクマルチアクセス方式をジョイント−コーディングし、該ＲＩ指示情報を得ることを含む。
【０１４１】
ＤＣＩに含まれるＲＩの値が２ビットであり、そして端末装置によってサポートされる最高のＲＩ指示情報が２ビットを占有する場合、異なるＲＩ指示情報に示される内容は例えば表４に示されてもよい。
【０１４２】
0006932776.tif 000005
選択可能に、端末装置が前記ＤＣＩに含まれる情報に基づき、端末装置のアップリンクマルチアクセス方式を確定することは、端末装置がＤＣＩに含まれるパディング（ｐａｄｄｉｎｇ）ビットの値に基づき、該アップリンクマルチアクセス方式を確定することを含む。
【０１４３】
ここで、該パディング（ｐａｄｄｉｎｇ）ビットは他のＤＣＩフォーマットと同じ長さを維持するために、該ＤＣＩに追加された冗長ビットである。
【０１４４】
選択可能に、端末装置が前記ＤＣＩに含まれる情報に基づき、端末装置のアップリンクマルチアクセス方式を確定することは、端末装置がＤＣＩに含まれる物理リソース配置方式指示情報に基づき、該アップリンクマルチアクセス方式を確定することを含む。
【０１４５】
本発明の実施例では、上記のいくつかの方式を用いて端末装置のアップリンクマルチアクセス方式を示すが、ＤＣＩにアップリンクマルチアクセス方式を示すための専用ビットを追加する必要がないため、ＤＣＩのペイロード（Ｐａｙｌｏａｄ）を増加させず、それによってＤＣＩの検出性能を向上させる。
【０１４６】
理解すべきものとして、上記の表１〜表４、及び端末装置が伝送層数、物理リソース配置方式とアップリンクマルチアクセス方式を確定するプロセスに用いられるパラメータの間の対応関係例えばＤＭＲＳポート数と伝送層数の対応関係、配置情報の値とＤＭＲＳ配置及びマルチアクセス方式の対応関係などは、ネットワーク装置と端末装置によって予め定められてもよく、例えばプロトコルに従って定められてもよいし、ネットワーク装置自体によって確定されて端末装置に通知されてもよく、本発明の実施例はこれに限定されない。
【０１４７】
状況２  該伝送情報が物理リソース配置方式を含む
選択可能に、端末装置が物理リソース配置方式に基づき、端末装置のアップリンクマルチアクセス方式を確定することは、端末装置が該物理リソース配置方式、及び物理リソース配置方式とアップリンクマルチアクセス方式の対応関係に基づき、該アップリンクマルチアクセス方式を確定することを含む。
【０１４８】
例えば、ＤＣＩに示される物理リソース配置方式がタイプ（Ｔｙｐｅ）０である場合、端末装置はアップリンクマルチアクセス方式１を用い、ＤＣＩに示される物理リソース配置方式がタイプ（Ｔｙｐｅ）１である場合、端末装置はアップリンクマルチアクセス方式２を用いる。
【０１４９】
ここで、物理リソース配置方式とアップリンクマルチアクセス方式の対応関係は、ネットワーク装置と端末装置によって予め定められてもよく、例えばプロトコルに従って定められてもよいし、ネットワーク装置自体によって確定されて端末装置に通知されてもよく、ここで限定されない。
【０１５０】
状況３  該伝送情報が伝送層数と物理リソース配置方式を含む
選択可能に、端末装置が、伝送層数が１であることを確定した後、ＤＣＩに示される物理リソース配置方式に基づき、端末装置のアップリンクマルチアクセス方式を確定する。具体的には、端末装置は該物理リソース配置方式、及び物理リソース配置方式とアップリンクマルチアクセス方式の対応関係に基づき、該アップリンクマルチアクセス方式を確定することができる。
【０１５１】
例えば、ＤＣＩに示される物理リソース配置方式がタイプ（Ｔｙｐｅ）０である場合、端末装置はアップリンクマルチアクセス方式１を用い、ＤＣＩに示される物理リソース配置方式がタイプ（Ｔｙｐｅ）１である場合、端末装置はアップリンクマルチアクセス方式２を用いる。選択可能に、端末装置は伝送層数が１より大きいことを確定した後、ネットワーク装置と予め定められたアップリンクマルチアクセス方式をアップリンク信号を伝送するためのアップリンクマルチアクセス方式として用いる。
【０１５２】
該実施例では、端末装置はＤＣＩにおけるパラメータ指示情報により端末装置の伝送層数及び／又は物理リソース配置方式を確定し、そして該伝送層数及び／又は該物理リソース配置方式に基づいてアップリンクマルチアクセス方式を確定し、これによりネットワーク装置が単層伝送を行う時に端末装置のためのアップリンクマルチアクセス方式を柔軟に調整することを実現する。図６は本発明の実施例による端末装置３００の概略ブロック図である。図６に示すように、該端末装置３００は受信ユニット３１０、確定ユニット３２０と送信ユニット３３０を備える。
【０１５３】
受信ユニット３１０はネットワーク装置から送信されたダウンリンク制御情報（ＤＣＩ）を受信するように構成される。
【０１５４】
確定ユニット３２０は、前記ＤＣＩのＤＣＩフォーマット又はパラメータ指示情報に基づき、前記端末装置のアップリンクマルチアクセス方式を確定するように構成される。
【０１５５】
送信ユニット３３０は、前記確定ユニット３２０によって確定された前記アップリンクマルチアクセス方式に基づき、前記アップリンクデータを伝送するように構成される。
【０１５６】
本発明の実施例では、端末装置はＤＣＩのＤＣＩフォーマット又はＤＣＩにおけるパラメータ指示情報に基づいて端末装置のアップリンクマルチアクセス方式を確定し、それによってネットワーク装置は端末装置のためのアップリンクマルチアクセス方式を柔軟に調整することができる。
【０１５７】
選択可能に、前記確定ユニット３２０は具体的に前記ＤＣＩのＤＣＩフォーマット、及びＤＣＩフォーマットとアップリンクマルチアクセス方式の対応関係に基づき、前記端末装置のアップリンクマルチアクセス方式を確定するように構成される。
【０１５８】
選択可能に、前記確定ユニット３２０は具体的に前記パラメータ指示情報に基づき、前記端末装置の伝送情報を確定し、前記伝送情報が前記端末装置の伝送層数及び／又は物理リソース配置方式を含み、前記確定ユニットによって確定された前記伝送情報に基づき、前記端末装置のアップリンクマルチアクセス方式を確定するように構成される。
【０１５９】
選択可能に、前記パラメータ指示情報は、伝送層数指示情報、物理リソース配置方式指示情報、復調基準信号（ＤＭＲＳ）ポート指示情報、プリコーディング行列（ＰＭＩ）指示情報とコードワード指示情報のうちの少なくとも一つを含む。
【０１６０】
選択可能に、前記伝送情報が前記端末装置の伝送層数を含み、ここで、前記確定ユニット３２０は、具体的に前記伝送層数が１であることを確定した場合、前記ＤＣＩに含まれる情報に基づき、前記端末装置のアップリンクマルチアクセス方式を確定するように構成される。
【０１６１】
選択可能に、前記確定ユニット３２０は、具体的に前記ＤＣＩに含まれるＤＭＲＳ配置指示情報に基づき、前記アップリンクマルチアクセス方式を確定するように構成され、前記ＤＭＲＳ配置指示情報がＤＭＲＳ配置の情報と前記アップリンクマルチアクセス方式の情報をジョイント−コーディングして得られる。
【０１６２】
選択可能に、前記確定ユニット３２０は、具体的に前記ＤＣＩに含まれるクローズドコードワードの新規データ指示（ＮＤＩ）ビットの値に基づき、前記アップリンクマルチアクセス方式を確定するように構成される。
【０１６３】
選択可能に、前記確定ユニット３２０は、具体的に前記ＤＣＩに含まれるクローズドコードワードの変調符号化方式（ＭＣＳ）指示情報に基づき、前記アップリンクマルチアクセス方式を確定するように構成される。
【０１６４】
選択可能に、前記確定ユニット３２０は、具体的に前記ＤＣＩに含まれるランク指示（ＲＩ）指示情報に基づき、前記アップリンクマルチアクセス方式を確定するように構成され、前記ＲＩ指示情報がＲＩの値と前記アップリンクマルチアクセス方式の情報をジョイント−コーディングして得られる。
【０１６５】
選択可能に、前記確定ユニット３２０は、具体的に前記ＤＣＩに含まれるパディングビットの値に基づき、前記アップリンクマルチアクセス方式を確定するように構成される。
【０１６６】
選択可能に、前記確定ユニット３２０は、具体的に前記ＤＣＩに含まれる物理リソース配置方式指示情報に基づき、前記アップリンクマルチアクセス方式を確定するように構成される。
【０１６７】
選択可能に、前記伝送情報が前記端末装置の伝送層数を含み、ここで、前記確定ユニット３２０は、具体的に前記伝送層数が１より大きいことを確定した場合、前記アップリンクマルチアクセス方式が前記ネットワーク装置と予め定められたアップリンクマルチアクセス方式であることを確定するように構成される。
【０１６８】
選択可能に、前記伝送情報が前記端末装置の物理リソース配置方式を含み、ここで、前記確定ユニット３２０は、具体的に前記物理リソース配置方式、及び物理リソース配置方式とアップリンクマルチアクセス方式の対応関係に基づき、前記アップリンクマルチアクセス方式を確定するように構成される。
【０１６９】
選択可能に、前記アップリンクマルチアクセス方式は、離散フーリエ変換スペクトル拡散直交周波数分割多重（ＤＦＴ−Ｓ−ＯＦＤＭ）、サイクリックプレフィックス直交周波数分割多重（ＣＰ−ＯＦＤＭ）、単一搬送波周波数分割マルチアクセス（ＳＣ−ＦＤＭＡ）と直交周波数分割マルチアクセス（ＯＦＤＭＡ）のいずれか一つを含む。
【０１７０】
選択可能に、前記送信ユニット３３０は具体的に前記アップリンクマルチアクセス方式がＤＦＴ−Ｓ−ＯＦＤＭ又はＳＣ−ＦＤＭＡであることを確定した場合、前記アップリンクデータに対して離散フーリエ変換（ＤＦＴ）を行い、そして前記ＤＦＴが行われた前記アップリンクデータをアップリンクデータチャネルで伝送するように構成される。
【０１７１】
選択可能に、前記送信ユニット３３０は具体的に前記アップリンクマルチアクセス方式がＣＰ−ＯＦＤＭ又はＯＦＤＭＡであること確定した場合、前記アップリンクデータに対してＤＦＴを行い、そして前記ＤＦＴが行われない前記アップリンクデータをアップリンクデータチャネルで伝送するように構成される。
【０１７２】
選択可能に、前記送信ユニット３３０は具体的に前記アップリンクマルチアクセス方式、及びアップリンクマルチアクセス方式とアップリンクデータチャネル構造の対応関係に基づき、ターゲットアップリンクデータチャネル構造を確定し、前記ターゲットアップリンクデータチャネル構造を用い、前記アップリンクデータを伝送するように構成される。
【０１７３】
選択可能に、前記アップリンクデータチャネル構造は、アップリンクデータチャネルの復調基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含む。
【０１７４】
注意すべきものとして、本発明の実施例では、受信ユニット３１０は受信機によって実現されてもよく、送信ユニット３３０は送信機によって実現されてもよく、確定ユニット３２０はプロセッサによって実現されてもよい。図７に示すように、端末装置４００はプロセッサ４１０、送受信機４２０とメモリ４３０を備える。ここで、送受信機４２０は受信機４２１と送信機４２２を含むことができ、メモリ４３０はパラメータ情報、伝送情報とマルチアクセス方式などの関連情報を記憶することに用いられてもよいし、プロセッサ４１０で実行されるコードなどを記憶することに用いられてもよい。ネットワーク装置４００の各部材はバスシステム４４０を介して結合され、ここでバスシステム４４０はデータバス以外、電源バス、制御バスと状態信号バスなどを含む。
【０１７５】
ここで、受信機４２１はネットワーク装置から送信されたダウンリンク制御情報（ＤＣＩ）を受信するように構成される。
【０１７６】
プロセッサ４１０は受信機４２１によって受信された前記ＤＣＩのＤＣＩフォーマット又は前記パラメータ指示情報に基づいて前記端末装置のアップリンクマルチアクセス方式を確定するように構成される。
【０１７７】
送信機４２２はプロセッサ４１０によって確定された前記アップリンクマルチアクセス方式に基づき、前記アップリンクデータを伝送するように構成される。
【０１７８】
このようにして、端末装置はＤＣＩのＤＣＩフォーマット又はＤＣＩにおけるパラメータ指示情報により端末装置のアップリンクマルチアクセス方式を確定し、それによってネットワーク装置は端末装置のためのアップリンクマルチアクセス方式を柔軟に調整することができる。
【０１７９】
選択可能に、前記プロセッサ４１０は具体的に前記ＤＣＩのＤＣＩフォーマット、及びＤＣＩフォーマットとアップリンクマルチアクセス方式の対応関係に基づき、前記端末装置のアップリンクマルチアクセス方式を確定するように構成される。
【０１８０】
選択可能に、前記プロセッサ４１０は具体的に前記パラメータ指示情報に基づき、前記端末装置の伝送情報を確定し、前記伝送情報が前記端末装置の伝送層数及び／又は物理リソース配置方式がを含み、前記確定ユニットによって確定された前記伝送情報に基づき、前記端末装置のアップリンクマルチアクセス方式を確定するように構成される。
【０１８１】
選択可能に、前記パラメータ指示情報は、伝送層数指示情報、物理リソース配置方式指示情報、復調基準信号（ＤＭＲＳ）ポート指示情報、プリコーディング行列（ＰＭＩ）指示情報とコードワード指示情報のうちの少なくとも一つを含む。
【０１８２】
選択可能に、前記伝送情報が前記端末装置の伝送層数を含み、ここで、前記プロセッサ４１０は具体的に前記伝送層数が１であることを確定した場合、前記ＤＣＩに含まれる情報に基づき、前記端末装置のアップリンクマルチアクセス方式を確定するように構成される。
【０１８３】
選択可能に、前記プロセッサ４１０は具体的に前記ＤＣＩに含まれるＤＭＲＳ配置指示情報に基づき、前記アップリンクマルチアクセス方式を確定するように構成され、前記ＤＭＲＳ配置指示情報がＤＭＲＳ配置の情報と前記アップリンクマルチアクセス方式の情報をジョイント−コーディングして得られる。
【０１８４】
選択可能に、前記プロセッサ４１０は具体的に前記ＤＣＩに含まれるクローズドコードワードの新規データ指示（ＮＤＩ）ビットの値に基づき、前記アップリンクマルチアクセス方式を確定するように構成される。
【０１８５】
選択可能に、前記プロセッサ４１０は具体的に前記ＤＣＩに含まれるクローズドコードワードの変調符号化方式（ＭＣＳ）指示情報に基づき、前記アップリンクマルチアクセス方式を確定するように構成される。
【０１８６】
選択可能に、前記プロセッサ４１０は具体的に前記ＤＣＩに含まれるランク指示（ＲＩ）指示情報に基づき、前記アップリンクマルチアクセス方式を確定するように構成され、前記ＲＩ指示情報がＲＩの値と前記アップリンクマルチアクセス方式の情報をジョイント−コーディングして得られる。
【０１８７】
選択可能に、前記プロセッサ４１０は具体的に前記ＤＣＩに含まれるパディングビットの値に基づき、前記アップリンクマルチアクセス方式を確定するように構成される。
【０１８８】
選択可能に、前記プロセッサ４１０は具体的に前記ＤＣＩに含まれる物理リソース配置方式指示情報に基づき、前記アップリンクマルチアクセス方式を確定するように構成される。
【０１８９】
選択可能に、前記伝送情報が前記端末装置の伝送層数を含み、ここで、前記プロセッサ４１０は具体的に前記伝送層数が１より大きいことを確定した場合、前記アップリンクマルチアクセス方式が前記ネットワーク装置と予め定められたアップリンクマルチアクセス方式であることを確定するように構成される。
【０１９０】
選択可能に、前記伝送情報が前記端末装置の物理リソース配置方式を含み、ここで、前記プロセッサ４１０は具体的に前記物理リソース配置方式、及び物理リソース配置方式とアップリンクマルチアクセス方式の対応関係に基づき、前記アップリンクマルチアクセス方式を確定するように構成される。
【０１９１】
選択可能に、前記アップリンクマルチアクセス方式は、離散フーリエ変換スペクトル拡散直交周波数分割多重（ＤＦＴ−Ｓ−ＯＦＤＭ）、サイクリックプレフィックス直交周波数分割多重（ＣＰ−ＯＦＤＭ）、単一搬送波周波数分割マルチアクセス（ＳＣ−ＦＤＭＡ）と直交周波数分割マルチアクセス（ＯＦＤＭＡ）のいずれか一つを含む。
【０１９２】
選択可能に、前記送信機４２２は具体的に前記アップリンクマルチアクセス方式がＤＦＴ−Ｓ−ＯＦＤＭ又はＳＣ−ＦＤＭＡであることを確定した場合、前記アップリンクデータに対して離散フーリエ変換（ＤＦＴ）を行い、そして前記ＤＦＴが行われた前記アップリンクデータをアップリンクデータチャネルで伝送するように構成される。
【０１９３】
選択可能に、前記送信機４２２は具体的に前記アップリンクマルチアクセス方式がＣＰ−ＯＦＤＭ又はＯＦＤＭＡであることを確定した場合、前記アップリンクデータに対してＤＦＴを行い、そして前記ＤＦＴが行われない前記アップリンクデータをアップリンクデータチャネルで伝送するように構成される。
【０１９４】
選択可能に、前記送信機４２２は具体的に前記アップリンクマルチアクセス方式、及びアップリンクマルチアクセス方式とアップリンクデータチャネル構造の対応関係に基づき、ターゲットアップリンクデータチャネル構造を確定し、前記ターゲットアップリンクデータチャネル構造を用い、前記アップリンクデータを伝送するように構成される。
【０１９５】
選択可能に、前記アップリンクデータチャネル構造は、アップリンクデータチャネルの復調基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含む。
【０１９６】
図８は本発明の実施例によるシステムチップの一つの概略構造図である。図５のシステムチップ５００は入力インタフェース５０１、出力インタフェース５０２、少なくとも一つのプロセッサ５０３、メモリ５０４を備え、前記入力インタフェース５０１、出力インタフェース５０２、前記プロセッサ５０３及びメモリ５０４がバス５０５を介して接続し、前記プロセッサ５０３が前記メモリ５０４でのコードを実行するように構成され、前記コードが実行される場合、前記プロセッサ５０３は図２〜図５の端末装置によって実行される方法を実現することができる。前記バス５０５は接続方式の一つの例であり、本発明の実施例では、前記入力インタフェース５０１、出力インタフェース５０２、前記プロセッサ５０３及びメモリ５０４は他の方式により接続されてもよく、ここで限定されない。
【０１９７】
図９は本発明の実施例によるネットワーク装置６００の概略ブロック図である。図６に示すように、該ネットワーク装置６００は送信ユニット６１０と受信ユニット６２０を備える。
【０１９８】
送信ユニット６１０は、前記端末装置が前記ＤＣＩのＤＣＩフォーマット又は前記ＤＣＩに含まれるパラメータ指示情報に基づいて前記端末装置のアップリンクマルチアクセス方式を確定するように、端末装置へダウンリンク制御情報（ＤＣＩ）を送信するように構成される。
【０１９９】
受信ユニット６２０は前記端末装置が前記アップリンクマルチアクセス方式に基づいて伝送した前記アップリンクデータを受信するように構成される。
【０２００】
本発明の実施例では、ネットワーク装置は端末装置へＤＣＩを送信し、これにより端末装置は該ＤＣＩのＤＣＩ又は該ＤＣＩに含まれるパラメータ指示情報により、端末装置のアップリンクマルチアクセス方式を確定することができ、それによってネットワーク装置は端末装置のためのアップリンクマルチアクセス方式を柔軟に調整することができる。
【０２０１】
選択可能に、前記ネットワーク装置はさらに送信ユニット６１０が前記端末装置へ前記ＤＣＩを送信する前に、ＤＣＩのフォーマットとアップリンクマルチアクセス方式の対応関係を確定するように構成される確定ユニット６３０を備え、送信ユニット６１０はさらに前記端末装置が前記ＤＣＩのＤＣＩフォーマット、及びＤＣＩフォーマットとアップリンクマルチアクセス方式の前記対応関係に基づき、前記端末装置のアップリンクマルチアクセス方式を確定するように、前記端末装置へＤＣＩフォーマットとアップリンクマルチアクセスアクセス方式の前記対応関係を送信するように構成される。
【０２０２】
選択可能に、前記ネットワーク装置はさらに送信ユニット６１０が前記端末装置へ前記ＤＣＩを送信する前に、ダウンリンク制御情報（ＤＣＩ）に含まれるパラメータ指示情報を確定するように構成され、前記パラメータ指示情報が前記端末装置の伝送情報を確定するために前記端末装置によって用いられ、前記端末装置が前記伝送情報に基づいて前記端末装置のアップリンクマルチアクセス方式を確定するようにし、前記伝送情報が前記端末装置の伝送層数及び／又は物理リソース配置方式を含む確定ユニット６３０を備える。
【０２０３】
選択可能に、前記パラメータ指示情報は、伝送層数指示情報、物理リソース配置方式指示情報、復調基準信号（ＤＭＲＳ）ポート指示情報、プリコーディング行列（ＰＭＩ）指示情報とコードワード指示情報のうちの少なくとも一つを含む。
【０２０４】
選択可能に、前記伝送情報が前記端末装置の伝送層数を含み、これにより前記端末装置は前記伝送層数が１であることを確定した場合、前記ＤＣＩに含まれる情報に基づき、前記アップリンクマルチアクセス方式を確定する。
【０２０５】
選択可能に、前記ＤＣＩに含まれる情報がＤＭＲＳ配置指示情報を含み、前記ネットワーク装置は処理ユニットをさらに備え、ここで、前記送信ユニット６２０が前記端末装置へ前記ＤＣＩに含まれる情報を送信する前に、前記処理ユニットはＤＭＲＳ配置の情報と前記アップリンクマルチアクセス方式の情報をジョイント−コーディングし、前記ＤＭＲＳ配置指示情報を得るように構成される。
【０２０６】
選択可能に、前記ＤＣＩに含まれる情報はクローズドコードワードの新規データ指示（ＮＤＩ）ビットの値を含む。
【０２０７】
選択可能に、前記ＤＣＩに含まれる情報はクローズドコードワードの変調符号化方式（ＭＣＳ）指示情報を含む。
【０２０８】
選択可能に、前記ＤＣＩに含まれる情報がランク指示（ＲＩ）指示情報を含み、前記ネットワーク装置はさらに処理ユニットを備え、ここで、前記送信ユニット６２０が前記端末装置へ前記ＤＣＩに含まれる情報を送信する前に、前記処理ユニットはＲＩの値と前記アップリンクマルチアクセス方式の情報をジョイント−コーディングし、前記ＲＩ指示情報を得るように構成される。
【０２０９】
選択可能に、前記ＤＣＩに含まれる情報はパディングビットの値を含む。
【０２１０】
選択可能に、前記ＤＣＩに含まれる情報は物理リソース配置方式指示情報を含む。
【０２１１】
選択可能に、前記伝送情報が前記端末装置の伝送層数を含み、これにより前記端末装置は前記伝送層数が１より大きいことを確定した場合、前記アップリンクマルチアクセス方式が前記ネットワーク装置と予め定められたアップリンクマルチアクセス方式であることを確定する。
【０２１２】
選択可能に、前記伝送情報が前記端末装置の物理リソース配置方式を含み、これにより前記端末装置は前記物理リソース配置情報、及び物理リソース配置方式とアップリンクマルチアクセス方式の対応関係に基づき、前記アップリンクマルチアクセス方式を確定する。
【０２１３】
選択可能に、前記アップリンクマルチアクセス方式は、離散フーリエ変換スペクトル拡散直交周波数分割多重（ＤＦＴ−Ｓ−ＯＦＤＭ）、サイクリックプレフィックス直交周波数分割多重（ＣＰ−ＯＦＤＭ）、単一搬送波周波数分割マルチアクセス（ＳＣ−ＦＤＭＡ）と直交周波数分割マルチアクセス（ＯＦＤＭＡ）のいずれか一つを含む。
【０２１４】
選択可能に、前記受信ユニット６３０は具体的に前記端末装置がＤＦＴ−Ｓ−ＯＦＤＭ又はＳＣ−ＦＤＭＡマルチアクセス方式に基づいて伝送した前記アップリンクデータを受信するように構成され、前記アップリンクデータが前記端末装置によって離散フーリエ変換を実行した前記アップリンクデータである。
【０２１５】
選択可能に、前記受信ユニット６３０は具体的に前記端末装置がＣＰ−ＯＦＤＭ又はＯＦＤＭＡマルチアクセス方式に基づいて伝送される前記アップリンクデータを受信するように構成され、前記アップリンクデータが、前記アップリンクデータが前記端末装置によって離散フーリエ変換を実行しない前記アップリンクデータである。
【０２１６】
選択可能に、前記受信ユニット６３０は具体的に前記端末装置がターゲットアップリンクデータチャネル構造を用いて伝送した前記アップリンクデータを受信するように構成され、前記ターゲットアップリンクデータチャネル構造が、前記アップリンクマルチアクセス方式、及びアップリンクマルチアクセス方式とアップリンクデータチャネル構造の対応関係に基づいて前記端末装置によって確定される。
【０２１７】
選択可能に、前記アップリンクデータチャネル構造は、アップリンクデータチャネルの復調基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含む。
【０２１８】
注意すべきものとして、本発明の実施例では、受信ユニット６３０は受信機によって実現されてもよく、送信ユニット６２０は送信機によって実現されてもよく、確定ユニット６１０はプロセッサによって実現されてもよい。図１０に示すように、ネットワーク装置７００はプロセッサ７１０、送受信機７２０とメモリ７３０を備える。ここで、送受信機７２０は受信機７２１と送信機７２２を含むことができ、メモリ７３０はパラメータ情報、伝送情報とマルチアクセス方式などの関連情報を記憶することに用いられてもよいし、プロセッサ７１０で実行されるコードなどを記憶することに用いられてもよい。ネットワーク装置７００の各部材はバスシステム７４０を介して結合され、ここでバスシステム７４０はデータバス以外、電源バス、制御バスと状態信号バスなどを含む。
【０２１９】
前記送信機７２２は、前記端末装置が前記ＤＣＩのＤＣＩフォーマット又は前記ＤＣＩに含まれるパラメータ指示情報に基づいて前記端末装置のアップリンクマルチアクセス方式を確定するように、端末装置へダウンリンク制御（ＤＣＩ）を送信するように構成される。
【０２２０】
受信機７２１は前記端末装置が前記アップリンクマルチアクセス方式に基づいて伝送した前記アップリンクデータを受信するように構成される。
【０２２１】
このようにして、ネットワーク装置は端末装置へＤＣＩを送信し、これにより端末装置は該ＤＣＩのＤＣＩ又は該ＤＣＩに含まれるパラメータ指示情報により、端末装置のアップリンクマルチアクセス方式を確定することができ、それによってネットワーク装置は端末装置のためのアップリンクマルチアクセス方式を柔軟に調整することができる。
【０２２２】
選択可能に、プロセッサ７１０は、送信機７２２が前記端末装置へ前記ＤＣＩを送信する前に、ＤＣＩフォーマットとアップリンクマルチアクセス方式の対応関係を確定するように構成され、前記送信ユニットはさらに前記端末装置が前記ＤＣＩのＤＣＩフォーマット、及びＤＣＩフォーマットとアップリンクマルチアクセス方式の前記対応関係に基づき、前記端末装置のアップリンクマルチアクセス方式を確定するように、前記端末装置へＤＣＩフォーマットとアップリンクマルチアクセス方式の前記対応関係を送信するように構成される。
【０２２３】
選択可能に、プロセッサ７１０は、送信機７２２が前記端末装置へ前記ＤＣＩを送信する前に、ダウンリンク制御情報（ＤＣＩ）に含まれるパラメータ指示情報を確定するように構成され、前記パラメータ指示情報が前記端末装置の伝送情報を確定するために前記端末装置によって用いられ、前記端末装置が前記伝送情報に基づいて前記端末装置のアップリンクマルチアクセス方式を確定するようにし、前記伝送情報が前記端末装置の伝送層数及び／又は物理リソース配置方式を含む。
【０２２４】
選択可能に、前記パラメータ指示情報は伝送層数指示情報、物理リソース配置方式指示情報、復調基準信号（ＤＭＲＳ）ポート指示情報、プリコーディング行列（ＰＭＩ）指示情報とコードワード指示情報のうちの少なくとも一つを含む。
【０２２５】
選択可能に、前記伝送情報が前記端末装置の伝送層数を含み、これにより前記端末装置は前記伝送層数が１であることを確定した場合、前記ＤＣＩに含まれる情報に基づき、前記アップリンクマルチアクセス方式を確定する。
【０２２６】
選択可能に、前記ＤＣＩに含まれる情報がＤＭＲＳ配置指示情報を含み、前記ネットワーク装置はさらに処理ユニットを備え、ここで、前記送信機７２２が前記端末装置へ前記ＤＣＩに含まれる情報を送信する前に、前記処理ユニットは前記ＤＭＲＳ配置の情報と前記アップリンクマルチアクセス方式の情報をジョイント−コーディングし、前記ＤＭＲＳ配置指示情報を得るように構成される。
【０２２７】
選択可能に、前記ＤＣＩに含まれる情報はコードワードの新規データ指示（ＮＤＩ）ビットの値を含む。
【０２２８】
選択可能に、前記ＤＣＩに含まれる情報はコードワードの変調符号化方式（ＭＣＳ）指示情報を含む。
【０２２９】
選択可能に、前記ＤＣＩに含まれる情報はランク指示（ＲＩ）指示情報を含み、前記ネットワーク装置はさらに処理ユニットを備え、ここで、前記送信機７２２が前記端末装置へ前記ＤＣＩに含まれる情報を送信する前に、前記処理ユニットはＲＩの値と前記アップリンクマルチアクセス方式の情報をジョイント−コーディングし、前記ＲＩ指示情報を得るように構成される。
【０２３０】
選択可能に、前記ＤＣＩに含まれる情報はパディングビットの値を含む。
【０２３１】
選択可能に、前記ＤＣＩに含まれる情報は物理リソース配置方式指示情報を含む。
【０２３２】
選択可能に、前記伝送情報が前記端末装置の伝送層数を含み、これにより前記端末装置は前記伝送層数が１より大きいことを確定した場合、前記アップリンクマルチアクセス方式が前記ネットワーク装置と予め定められたアップリンクマルチアクセス方式であることを確定する。
【０２３３】
選択可能に、前記アップリンクマルチアクセス方式は、離散フーリエ変換スペクトル拡散直交周波数分割多重（ＤＦＴ−Ｓ−ＯＦＤＭ）、サイクリックプレフィックス直交周波数分割多重（ＣＰ−ＯＦＤＭ）、単一搬送波周波数分割マルチアクセス（ＳＣ−ＦＤＭＡ）と直交周波数分割マルチアクセス（ＯＦＤＭＡ）のいずれか一つを含む。
【０２３４】
選択可能に、前記受信機７２１は具体的に前記端末装置がＤＦＴ−Ｓ−ＯＦＤＭ又はＳＣ−ＦＤＭＡマルチアクセス方式に基づいて伝送した前記アップリンクデータを受信するように構成され、前記アップリンクデータが前記端末装置によって離散フーリエ変換を実行した前記アップリンクデータである。
【０２３５】
選択可能に、前記受信機７２１は具体的に前記端末装置がＣＰ−ＯＦＤＭ又はＯＦＤＭＡマルチアクセス方式に基づいて伝送した前記アップリンクデータを受信するように構成され、前記アップリンクデータが前記端末装置によって離散フーリエ変換を実行しない前記アップリンクデータである。
【０２３６】
選択可能に、前記受信機７２１は具体的に前記端末装置がターゲットアップリンクデータチャネル構造を用いて伝送した前記アップリンクデータを受信するように構成され、前記ターゲットアップリンクデータチャネル構造が前記アップリンクマルチアクセス方式、及びアップリンクマルチアクセス方式とアップリンクデータチャネル構造の対応関係に基づいて前記端末装置によって確定される。
【０２３７】
選択可能に、前記アップリンクデータチャネル構造は、アップリンクデータチャネルの復調基準信号（ＤＭＲＳ）のリソース位置、アップリンクデータチャネルのＤＭＲＳシーケンス、アップリンクデータチャネルに含まれるアップリンクデータの伝送方式、アップリンクデータチャネルに占有された時間領域リソースとアップリンクデータチャネルに占有された周波数領域リソースのうちの少なくとも一つを含む。
【０２３８】
図１１は本発明の実施例によるシステムチップの一つの概略構造図である。図８のシステムチップ８００は入力インタフェース８０１、出力インタフェース８０２、少なくとも一つのプロセッサ８０３、メモリ８０４を備え、前記入力インタフェース８０１、出力インタフェース８０２、前記プロセッサ８０３及びメモリ８０４がバス８０５を介して接続し、前記プロセッサ８０３が前記メモリ８０４でのコードを実行するように構成され、前記コードが実行される場合、前記プロセッサ８０３は図２〜図５のネットワーク装置によって実行される方法を実現することができる。前記バス８０５は接続方式の一つの例であり、本発明の実施例では、前記入力インタフェース８０１、出力インタフェース８０２、前記プロセッサ８０３及びメモリ８０４は他の方式により接続されてもよく、ここで限定されない。
【０２３９】
理解すべきものとして、本明細書では用語「及び／又は」は関連するオブジェクトの関連関係を記述するためのものであり、３種類の関係が存在してもよいことを示し、例えば、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０２４０】
理解すべきものとして、本発明の各実施例では、上記各プロセスの番号の大きさが実行順序を意味せず、各プロセスの実行順序はその機能と内部ロジックによって確定されるべきであり、本発明の実施例の実施プロセスのいかなる限定を構成すべきではない。
【０２４１】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０２４２】
本出願が提供するいくつかの実施例では、開示されたシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得て、例えば複数のユニット又は部材は組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２４３】
分離部材として説明された前記ユニットは物理的に分離するものであってもよくまたは物理的に分離するものでなくてもよく、ユニットとして表示された部材は物理的ユニットであってもよく又は物理的ユニットでなくてもよく、即ち一つの箇所に位置してもよく、又は複数のネットワークユニットに分布してもよい。実際のニーズに応じてその中の一部又は全てのユニットを選択して本実施例の解決策の目的を達成することができる。
【０２４４】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０２４５】
前記機能はソフトウェア機能ユニットの形態で実現され且つ独立した製品として販売又は使用される場合、一つのコンピュータ読み取り可能な記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ）、ランダムアクセスメモリ（ＲＡＭ）、磁気ディスク又は光ディスク等のプログラムコードを記憶できる様々な媒体を含む。
【０２４６】
以上は、本出願の具体的な実施形態に過ぎず、本出願の保護範囲はこれに制限されず、当業者が本出願に開示された技術範囲内で容易に想到し得る変化又は入れ替わりが全て本出願の保護範囲内に含まれるべきである。したがって、本出願の保護範囲は特許請求の範囲によって準拠するべきである。
【図１】
0006932776.tif 000006
【図２】
0006932776.tif 000007
【図３】
0006932776.tif 000008
【図４】
0006932776.tif 000009
【図５】
0006932776.tif 000010
【図６】
0006932776.tif 000011
【図７】
0006932776.tif 000012
【図８】
0006932776.tif 000013
【図９】
0006932776.tif 000014
【図１０】
0006932776.tif 000015
【図１１】
0006932776.tif 000016